(57)【特許請求の範囲】
【請求項１】
下端に、収納対象の紙葉類は通さずに、誤って投入された異物は通して落下させるための穴が形成された収容部と、
上記収容部の上記下端の下側で、互いの回動軸を所定の間隔を介して平行にし、上記回動軸を中心にして一回転方向及び他回転方向に回動可能に支持された複数のプーリと、
上記収容部の上記下端から落下する上記異物を載せるようにして受け取って、当該異物を繰出側、及び当該繰出側とは逆の戻し側へ搬送するための平坦部を形成するように上記複数のプーリに架けられた搬送ベルトと、
上記複数のプーリと共に上記搬送ベルトを上記一回転方向及び上記他回転方向へ回転させるように駆動するベルト駆動部と、
上記搬送ベルトの上記平坦部を振動させる振動部と、
上記異物の上記繰出側への搬送用に上記複数のプーリと共に上記搬送ベルトを上記一回転方向へ回転させるように上記ベルト駆動部を制御し、また上記異物の上記戻し側への搬送用に上記複数のプーリと共に上記搬送ベルトを上記他回転方向へ回転させるように上記ベルト駆動部を制御し、さらに上記搬送ベルトの上記平坦部を振動させるように上記振動部を制御する制御部と、
上記搬送ベルトの上記平坦部から上記異物が排出用に繰り出されたか否かを検出するための検出部と
を具え、
上記制御部は、
上記検出部を介して上記搬送ベルトの上記平坦部から上記異物を排出用に繰り出し終えたか否かを監視しながら、上記異物の上記繰出側への搬送用の上記ベルト駆動部の制御と、上記異物の上記戻し側への搬送用の上記ベルト駆動部の制御と、上記振動部の制御とを繰り返し実行する
異物排出装置。
【請求項２】
上記搬送ベルトの上記平坦部の上記繰出側と対向して配置され、上記搬送ベルトの上記平坦部により上記繰出側に搬送される上記異物の当該平坦部からの繰出量を制限する繰出量制限部
を具える請求項１に記載の異物排出装置。
【請求項３】
上記搬送ベルトの上記平坦部の所定部分と所定の間隙を空けて対向して配置され、上記搬送ベルトの上記平坦部によって搬送される上記異物の重なりを崩すための崩部
を具える請求項１に記載の異物排出装置。
【請求項４】
上記収容部の上端の開口部を開放し、また閉塞するためのシャッタと、
上記シャッタを駆動するシャッタ駆動部と
を具え、
上記制御部は、
上記シャッタ駆動部を制御して上記シャッタにより上記収容部の上記開口部を開放し、上記検出部を介して上記搬送ベルトの上記平坦部から上記異物を排出用に繰り出し終えたことを検出すると、上記シャッタ駆動部を制御して上記シャッタにより上記収容部の上記開口部を閉塞する
請求項１に記載の異物排出装置。
【請求項５】
上記振動部は、
上記ベルト駆動部であり、
上記制御部は、
上記ベルト駆動部を制御することにより、上記複数のプーリと共に上記搬送ベルトを上記一回転方向及び上記他回転方向に順次交互に回転させて上記搬送ベルトの上記平坦部を振動させる
請求項１に記載の異物排出装置。
【請求項６】
装置内部で取り扱う紙葉類を収納するようにして、下端に、上記紙葉類は通さずに、誤って投入された異物は通して落下させるための穴が形成された収容部と、
上記収容部の上記下端の下側で、互いの回動軸を所定の間隔を介して平行にし、上記回動軸を中心にして一回転方向及び他回転方向に回動可能に支持された複数のプーリと、
上記収容部の上記下端から落下する上記異物を載せるようにして受け取って、当該異物を繰出側、及び当該繰出側とは逆の戻し側へ搬送するための平坦部を形成するように上記複数のプーリに架けられた搬送ベルトと、
上記複数のプーリと共に上記搬送ベルトを上記一回転方向及び上記他回転方向へ回転させるように駆動するベルト駆動部と、
上記搬送ベルトの上記平坦部を振動させる振動部と、
上記異物の上記繰出側への搬送用に上記複数のプーリと共に上記搬送ベルトを上記一回転方向へ回転させるように上記ベルト駆動部を制御し、また上記異物の上記戻し側への搬送用に上記複数のプーリと共に上記搬送ベルトを上記他回転方向へ回転させるように上記ベルト駆動部を制御し、さらに上記搬送ベルトの上記平坦部を振動させるように上記振動部を制御する制御部と、
上記搬送ベルトの上記平坦部から上記異物が排出用に繰り出されたか否かを検出するための検出部と
を具え、
上記制御部は、
上記検出部を介して上記搬送ベルトの上記平坦部から上記異物を排出用に繰り出し終えたか否かを監視しながら、上記異物の上記繰出側への搬送用の上記ベルト駆動部の制御と、上記異物の上記戻し側への搬送用の上記ベルト駆動部の制御と、上記振動部の制御とを繰り返し実行する
紙葉類取扱装置。
【請求項７】
上記制御部が、上記異物の上記繰出側への搬送用に上記ベルト駆動部を制御し、また上記異物の上記戻し側への搬送用に上記ベルト駆動部を制御し、さらに上記搬送ベルトの上記平坦部の振動用に上記振動部を制御する異物排出処理の実行中に、当該異物排出処理が実行中であることを通知するための通知部
を具える請求項６に記載の紙葉類取扱装置。
【発明の詳細な説明】
【技術分野】
【０００１】
本発明は異物排出装置及び紙葉類取扱装置に関し、例えば、紙幣の入金及び出金の取り引きを行う現金自動預払機（ATM：Automatic  Teller  Machine）に適用して好適なものである。
【背景技術】
【０００２】
従来の紙幣入出金機は、入金用の紙幣を投入するための箱型の紙幣投入部が設けられており、入金時、顧客により紙幣投入部に投入された紙幣を、所定の紙幣取込部を介して紙幣投入部から紙幣入出金機内に取り込むようにして入金処理していた。
【０００３】
ただし、紙幣入出金機では、入金時、顧客により紙幣投入部に誤って硬貨やクリップ等が投入される（すなわち、紙幣と共に又は単独で投入される）場合があった。
【０００４】
そして紙幣入出金機は、紙幣投入部に誤って硬貨やクリップ等が投入された場合、その硬貨やクリップ等が紙幣の入金処理にとっては異物となり誤動作や故障をまねく可能性がある。
【０００５】
このため、従来、紙幣入出金機としては、紙幣投入部に誤って投入された硬貨やクリップ等を異物として、当該紙幣入出金機の外部に排出するための図２３に示すような異物排出部１００が設けられたものがある。
【０００６】
図２３に示すように、係る異物排出部１００は、箱型の紙幣投入部１０１を有し、当該紙幣投入部１０１の底に複数の櫛歯１０２が、例えば、異物としての硬貨１０４の大きさを基準として、その硬貨１０４が通るように所定間隔で設けられている。
【０００７】
これにより異物排出部１００は、紙幣投入部１０１に投入された紙幣１０３を複数の櫛歯１０２で受け止めるようにして当該紙幣投入部１０１内に留めている。
【０００８】
また異物排出部１００は、紙幣投入部１０１に誤って異物としての例えば、硬貨１０４が投入された場合、その硬貨１０４を、複数の櫛歯１０２の間を通して当該紙幣投入部１０１から下に落としている。
【０００９】
ところで、異物排出部１００は、紙幣投入部１０１の下側に一対の搬送プーリ１０５、１０６が、例えば水平方向に添って所定の間隔で配置されると共に、当該一対の搬送プーリ１０５、１０６に搬送ベルト１０７が架けられている。
【００１０】
そして異物排出部１００は、搬送ベルト１０７において一対の搬送プーリ１０５、１０６の間に形成された上側の平坦部（以下、これを上側平坦部とも呼ぶ）１０７Ａ及び下側の平坦部（以下、これを下側平坦部とも呼ぶ）１０７Ｂを櫛歯１０２と平行にし、当該上側平坦部１０７Ａにおいて一方の搬送プーリ１０５側を櫛歯１０２全体と対向させている。
【００１１】
これにより異物排出部１００は、紙幣投入部１０１から異物としての例えば、硬貨１０４が複数の櫛歯１０２の間を通って落下した場合、その硬貨１０４を搬送ベルト１０７の上側平坦部１０７Ａに載せるようにして受け取っている。
【００１２】
また異物排出部１００は、搬送ベルト１０７の上側平坦部１０７Ａの中央部よりも僅かに上側に、例えば、異物としての硬貨１０４の重なりを崩すためのコイル状のスプリング１０８が、その長手方向を当該搬送ベルト１０７の幅方向と平行にして配置されている。
【００１３】
これに加えて異物排出部１００は、一方の搬送プーリ１０５の上側に、略へ字状の規制板１０９が一端を搬送ベルト１０７に近接させるようにして配置されている。
【００１４】
また異物排出部１００は、他方の搬送プーリ１０６の上側に、略コ字状の規制板１１０が一端部を搬送ベルト１０７の上側平坦部１０７Ａと、例えば、硬貨１０４の厚みよりも僅かに広い所定の間隙を介して平行にして配置されている。
【００１５】
さらに異物排出部１００は、他方の搬送プーリ１０６の近傍に異物返却容器１１１が、その開口部を搬送ベルト１０７の上側平坦部１０７Ａよりも下側に位置させて配置されている。
【００１６】
そして異物排出部１００は、一方の搬送プーリ１０５の上側近傍、及び他方の搬送プーリ１０６の上側近傍に一対のセンサ１１２、１１３が対向配置されている。
【００１７】
これにより紙幣入出金機は、センサ１１２、１１３を介して、紙幣投入部１０１から落下した例えば、異物としての１又は複数の硬貨１０４（すなわち、異物）が搬送ベルト１０７の上側平坦部１０７Ａに載ったことを検出すると、一対の搬送プーリ１０５、１０６を同一の時計回方向へ回転駆動する。
【００１８】
よって紙幣入出金機は、搬送ベルト１０７を時計回方向へ回転させて上側平坦部１０７Ａに載っている硬貨１０４を、図中に矢印ａ１０で示す送り方向へ搬送する。
【００１９】
ここで、紙幣入出金機では、搬送ベルト１０７の上側平坦部１０７Ａに例えば、１又は複数の硬貨１０４が何ら重ならずに載っている場合がある。
【００２０】
この場合、紙幣入出金機は、搬送ベルト１０７の時計回方向への回転により、これら１又は複数の硬貨１０４を上側平坦部１０７Ａと規制板１１０の一端部との間隙に順に通して上側平坦部１０７Ａから落下させて異物返却容器１１１に収納する。
【００２１】
また紙幣入出金機では、この際、搬送ベルト１０７の上側平坦部１０７Ａにおいてスプリング１０８及び規制板１１０間に例えば、複数の硬貨１０４が楔状に重なって載っている場合もある。
【００２２】
すなわち、紙幣入出金機では、搬送ベルト１０７の上側平坦部１０７Ａに複数の硬貨１０４のうち、例えば、１枚の硬貨１０４が一面を当接させて載ると共に、他の複数の硬貨１０４が当該１枚の硬貨１０４の縁に順に支えられて一方の搬送プーリ１０５側よりも他方の搬送プーリ１０６側を下げた傾斜姿勢で重なるようにして載る場合もある。
【００２３】
因みに、以下の説明では、楔状に重なった複数の硬貨１０４のうち、搬送ベルト１０７の上側平坦部１０７Ａに一面を当接させた姿勢の１枚の硬貨１０４を、水平姿勢硬貨１０４とも呼ぶ。
【００２４】
また、以下の説明で、楔状に重なった複数の硬貨１０４のうち、搬送ベルト１０７の上側平坦部１０７Ａに水平姿勢硬貨１０４の縁に順に支えられて傾斜姿勢で重なるようにして載っている他の複数の硬貨１０４を、それぞれ傾斜姿勢硬貨１０４とも呼ぶ。
【００２５】
そして、以下の説明では、これら水平姿勢硬貨１０４及び複数の傾斜姿勢硬貨１０４を特には区別する必要のない場合、単に硬貨１０４とも呼ぶ。
【００２６】
この場合、紙幣入出金機では、搬送ベルト１０７を時計回方向へ回転させて、楔状に重なっている複数の硬貨１０４を送り方向へ搬送すると、これら複数の硬貨１０４全体の厚みが１枚の硬貨１０４の厚みよりも格段的に厚いため、当該複数の硬貨１０４が上側平坦部１０７Ａと規制板１１０の一端部との間隙に引っ掛かる。
【００２７】
このため、紙幣入出金機では、この際、一対のセンサ１１２、１１３を介して、上側平坦部１０７Ａと規制板１１０の一端部との間隙への複数の硬貨１０４の引っ掛かりを検知し、これに応じて一対の搬送プーリ１０５、１０６を同一の反時計回方向へ所定の回転角度だけ回転駆動する。
【００２８】
よって紙幣入出金機は、搬送ベルト１０７を反時計回方向へ回転させて上側平坦部１０７Ａに載っている複数の硬貨１０４全体を、送り方向とは逆の図中に矢印ｂ１０で示す戻し方向へ所定距離だけ戻すように搬送する。
【００２９】
従って、紙幣入出金機は、水平姿勢硬貨１０４を搬送ベルト１０７の上側平坦部１０７Ａとスプリング１０８との間隙に入り込ませるようにして、複数の傾斜姿勢硬貨１０４をスプリング１０８の周側面に順に突き当てる。
【００３０】
これにより紙幣入出金機では、複数の傾斜姿勢硬貨１０４を戻し方向への搬送に応じて順に崩すようにして搬送ベルト１０７の上側平坦部１０７Ａ上に１枚ずつ並べる。
【００３１】
そして紙幣入出金機は、再び一対の搬送プーリ１０５、１０６を同一の時計回方向へ回転駆動して搬送ベルト１０７を時計回方向へ回転させることにより、重なりを崩した複数の硬貨１０４を送り方向へ搬送して、上述と同様に異物返却容器１１１に収納する。
【００３２】
このようにして紙幣入出金機は、紙幣投入部１０１に誤って例えば、異物としての硬貨１０４が投入されても、その硬貨１０４を紙幣投入部１０１内から除去して異物返却容器１１１を介して顧客に返却していた（例えば、特許文献１参照）。
【先行技術文献】
【特許文献】
【００３３】
【特許文献１】特開２００８−５２４００号公報（第５頁、第６頁、図７、図１１）
【発明の概要】
【発明が解決しようとする課題】
【００３４】
ところで、例えば、図２４（Ａ）及び（Ｂ）に示すように、紙幣入出金機では、紙幣投入部１０１に誤って異物として比較的多くの硬貨１０４が投入されると、搬送ベルト１０７の上側平坦部１０７Ａにおいて規制板１０９及びスプリング１０８間と、当該スプリング１０８及び規制板１１０間とにそれぞれ複数の硬貨１０４が載る場合がある。
【００３５】
すなわち、紙幣入出金機では、搬送ベルト１０７の上側平坦部１０７Ａにおいて規制板１０９及びスプリング１０８間の全体に亘り、複数の硬貨１０４が順に並ぶように載ると共に、当該スプリング１０８及び規制板１１０間に複数の硬貨１０４が上述と同様に楔状に重なって載る場合がある。
【００３６】
そして紙幣入出金機は、この場合も複数の硬貨１０４を送り方向へ搬送すると、上述と同様に、楔状に重なっている複数の硬貨１０４が上側平坦部１０７Ａと規制板１１０の一端部との間隙に引っ掛かるため、引き続き複数の硬貨１０４を戻し方向へ搬送する。
【００３７】
ところが、紙幣入出金機では、この際、水平姿勢硬貨１０４が、搬送ベルト１０７の上側平坦部１０７Ａとスプリング１０８との間隙に僅かに入り込むと、規制板１０９及びスプリング１０８間で順に並んでいる複数の硬貨１０４に突き当たり、それ以上は送り方向へ搬送し得なくる。
【００３８】
このため、紙幣入出金機では、スプリング１０８によっては複数の硬貨１０４の楔状の重なりを崩すことができず、これら複数の硬貨１０４を楔状に重ねたまま、再び送り方向へ搬送することになる。
【００３９】
そして紙幣入出金機は、このような場合、複数の硬貨１０４を送り方向及び戻し方向へ順次交互に搬送しても、複数の硬貨１０４の楔状の重なりを崩すことができず、その結果、搬送ベルト１０７の上側平坦部１０７Ａから複数の硬貨１０４を排出側へ繰り出すことができなくなる。
【００４０】
このように紙幣入出金機は、紙幣投入部１０１に誤って投入された異物を排出するために異物排出部１００が設けられてはいるものの、異物を確実に排出し得るとは言い難いという問題があった。
【００４１】
本発明は以上の点を考慮してなされたもので、異物を確実に排出し得る異物排出装置及び紙葉類取扱装置を提案しようとするものである。
【課題を解決するための手段】
【００４２】
かかる課題を解決するため本発明においては、下端に、収納対象の紙葉類は通さずに、誤って投入された異物は通して落下させるための穴が形成された収容部と、収容部の下端の下側で、互いの回動軸を所定の間隔を介して平行にし、回動軸を中心にして一回転方向及び他回転方向に回動可能に支持された複数のプーリと、収容部の下端から落下する異物を載せるようにして受け取って、当該異物を繰出側、及び当該繰出側とは逆の戻し側へ搬送するための平坦部を形成するように複数のプーリに架けられた搬送ベルトと、複数のプーリと共に搬送ベルトを一回転方向及び他回転方向へ回転させるように駆動するベルト駆動部と、搬送ベルトの平坦部を振動させる振動部と、異物の繰出側への搬送用に複数のプーリと共に搬送ベルトを一回転方向へ回転させるようにベルト駆動部を制御し、また異物の戻し側への搬送用に複数のプーリと共に搬送ベルトを他回転方向へ回転させるようにベルト駆動部を制御し、さらに搬送ベルトの平坦部を振動させるように振動部を制御する制御部と、搬送ベルトの平坦部から異物が排出用に繰り出されたか否かを検出するための検出部とを設け、制御部により、検出部を介して搬送ベルトの平坦部から異物を排出用に繰り出し終えたか否かを監視しながら、異物の繰出側への搬送用のベルト駆動部の制御と、異物の戻し側への搬送用のベルト駆動部の制御と、振動部の制御とを繰り返し実行するようにした。
【００４３】
従って本発明では、搬送ベルトの平坦部から異物を排出用に繰り出し終えるまで、搬送ベルトの平坦部により繰出側へ搬送した複数の異物が、排出用には繰り出し難いように重なっていても、その複数の異物を重なった状態のまま戻し側へ戻すように搬送し、引き続き平坦部を振動させて、これら複数の異物を、重なりを崩したうえで再び繰出側へ搬送して平坦部から排出用に繰り出すことができる。
【発明の効果】
【００４４】
本発明によれば、下端に、収納対象の紙葉類は通さずに、誤って投入された異物は通して落下させるための穴が形成された収容部と、収容部の下端の下側で、互いの回動軸を所定の間隔を介して平行にし、回動軸を中心にして一回転方向及び他回転方向に回動可能に支持された複数のプーリと、収容部の下端から落下する異物を載せるようにして受け取って、当該異物を繰出側、及び当該繰出側とは逆の戻し側へ搬送するための平坦部を形成するように複数のプーリに架けられた搬送ベルトと、複数のプーリと共に搬送ベルトを一回転方向及び他回転方向へ回転させるように駆動するベルト駆動部と、搬送ベルトの平坦部を振動させる振動部と、異物の繰出側への搬送用に複数のプーリと共に搬送ベルトを一回転方向へ回転させるようにベルト駆動部を制御し、また異物の戻し側への搬送用に複数のプーリと共に搬送ベルトを他回転方向へ回転させるようにベルト駆動部を制御し、さらに搬送ベルトの平坦部を振動させるように振動部を制御する制御部と、搬送ベルトの平坦部から異物が排出用に繰り出されたか否かを検出するための検出部とを設け、制御部により、検出部を介して搬送ベルトの平坦部から異物を排出用に繰り出し終えたか否かを監視しながら、異物の繰出側への搬送用のベルト駆動部の制御と、異物の戻し側への搬送用のベルト駆動部の制御と、振動部の制御とを繰り返し実行することにより、搬送ベルトの平坦部から異物を排出用に繰り出し終えるまで、搬送ベルトの平坦部により繰出側へ搬送した複数の異物が、排出用には繰り出し難いように重なっていても、その複数の異物を重なった状態のまま戻し側へ戻すように搬送し、引き続き平坦部を振動させて、これら複数の異物を、重なりを崩したうえで再び繰出側へ搬送して平坦部から排出用に繰り出すことができ、かくして異物を確実に排出し得る異物排出装置及び紙葉類取扱装置を実現することができる。
【図面の簡単な説明】
【００４５】
【図１】現金自動預払機の外観構成の一実施の形態を示す略線的斜視図である。
【図２】現金自動預払機の内部構成の一実施の形態を示す略線的側面図である。
【図３】異物排出部の構成（１）を示す略線的側面図である。
【図４】異物排出部の構成（２）を示す略線的正面図である。
【図５】紙幣収容部の構成を示す略線的斜視図である。
【図６】紙幣収容部における紙幣支持部の配置位置の選定の説明に供する略線的上面図である。
【図７】異物受取繰出部の構成を示す略線的斜視図である。
【図８】受取繰出ガイドにおける異物繰出通路の幅の選定と、下壁部に対する発光素子及び受光素子の配置位置の選定との説明に供する略線的上面図である。
【図９】搬送ベルトの駆動の説明に供する略線的正面図である。
【図１０】紙幣の入金時の紙幣投入取出部に対する紙幣及び硬貨の投入の説明に供する略線的側面図である。
【図１１】紙幣投入取出部に投入された紙幣と硬貨との分離の説明に供する略線的側面図である。
【図１２】異物排出処理時の搬送ベルトの一回転方向への回転の説明に供する略線的正面図である。
【図１３】異物排出処理時の搬送ベルトの一回転方向への回転に続く他回転方向への回転の説明に供する略線的正面図である。
【図１４】異物排出処理時の搬送ベルトの振動の説明に供する略線的正面図である。
【図１５】異物排出処理時の搬送ベルトの振動に続く一回転方向への回転の説明に供する略線的正面図である。
【図１６】異物排出処理手順（１）を示すタイミングチャートである。
【図１７】異物排出処理手順（２）を示すタイミングチャートである。
【図１８】他の実施の形態による偏芯カムを用いた搬送ベルトの振動の説明に供する略線的正面図である。
【図１９】他の実施の形態による搬送ベルトの構成を示す略線的正面図である。
【図２０】他の実施の形態による異物排出部の構成（１）を示す略線的側面図である。
【図２１】他の実施の形態による異物排出部の構成（２）を示す略線的正面図である。
【図２２】他の実施の形態による異物受取繰出部からの異物の繰り出しの有無の検出の説明に供する略線的正面図である。
【図２３】従来の異物排出部の構成を示す略線的正面図である。
【図２４】搬送ベルトに楔状に重なって載った複数の硬貨の移動の説明に供する略線的正面図である。
【発明を実施するための形態】
【００４６】
以下図面を用いて、発明を実施するための最良の形態（以下、これを実施の形態とも呼ぶ）について説明する。なお、説明は以下の順序で行う。
（１）実施の形態
（２）他の実施の形態
【００４７】
（１）実施の形態
（１−１）現金自動預払機の外観構成
図１において、１は全体として本発明を適用した現金自動預払機の外観構成を示す。かかる現金自動預払機１は、略箱型の筐体（以下、これを預払機筐体とも呼ぶ）２を有している。
【００４８】
因みに、以下の説明では、現金自動預払機１を、預払機筐体２の前面２Ａと対峙して見た場合の図中に矢印ａ１で示す方向を、左方向とも呼び、当該左方向とは逆の方向を、右方向とも呼ぶ。
【００４９】
また、以下の説明では、現金自動預払機１を、預払機筐体２の前面２Ａと対峙して見た場合の図中に矢印ｂ１で示す方向を、上方向とも呼び、当該上方向とは逆の方向を、下方向とも呼ぶ。
【００５０】
さらに、以下の説明では、現金自動預払機１を、預払機筐体２の前面２Ａと対峙して見た場合の図中に矢印ｃ１で示す方向を、前方向とも呼び、当該前方向とは逆の方向を、後方向とも呼ぶ。
【００５１】
預払機筐体２の前側上端部には、前面２Ａよりも後面２Ｂ側に凹むように略Ｌ字状に形成されたフロントパネル３が設けられている。
【００５２】
この場合、フロントパネル３において上方向に向くほぼ水平な上向パネル３Ａには、例えば、中央部に種々の操作画像の表示及び表面へのタッチ操作が可能なタッチスクリーン４が設けられている。
【００５３】
またフロントパネル３の上向パネル３Ａには、例えば、左寄りに、現金としての硬貨を投入し、また取り出すための硬貨投入取出部５が設けられている。
【００５４】
さらにフロントパネル３の上向パネル３Ａには、例えば、右寄りに、現金としての長方形の紙幣を投入し、また取り出すための紙幣投入取出部６が設けられている。
【００５５】
一方、フロントパネル３において前方向に向くほぼ垂直な前向パネル３Ｂには、例えば、左寄りに、取り引きの際に通帳を挿入し、また当該通帳や取引明細書を排出するための通帳挿入排出口７が設けられている。
【００５６】
またフロントパネル３において前向パネル３Ｂには、例えば、右寄りに、取り引きの際にキャッシュカードやクレジットカード等の種々のカードを挿入及び排出するためのカード挿入排出口８も設けられている。
【００５７】
これに加えて預払機筐体２の前面２Ａには、紙幣投入取出部６に誤って硬貨やクリップ等が投入された際、これら硬貨やクリップ等を顧客に返却するためる返却口９が設けられている。
【００５８】
現金自動預払機１は、係る構成のもと、タッチスクリーン４に操作画像を表示すると共に、顧客によるタッチスクリーン４の表面へのタッチ操作に応じて操作画像を適宜切り換えて表示する。
【００５９】
これにより現金自動預払機１は、顧客に操作画面を介して、現金の預け入れのような入金や払い出しのような出金等の所望の取り引きの手順を案内する。
【００６０】
そして現金自動預払機１は、顧客に、その案内に従って通帳挿入排出口７やカード挿入排出口８に通帳やカードを挿入させ、また硬貨投入取出部５や紙幣投入取出部６に入金用の硬貨や紙幣を投入させる。
【００６１】
また現金自動預払機１は、顧客に、その案内に従って通帳挿入排出口７やカード挿入排出口８から排出した通帳や取引明細書、カードを受け取らせ、硬貨投入取出部５や紙幣投入取出部６から出金用の硬貨や紙幣を取り出させる。
【００６２】
このようにして現金自動預払機１は、顧客が所望する現金の入金や出金等の取り引きを行うことができる。
【００６３】
（１−２）現金自動預払機の内部構成
次いで、図２を用いて、現金自動預払機１の内部構成について説明する。因みに、以下には、現金自動預払機１の内部構成として便宜上、紙幣の入金及び出金に関する構成について説明し、硬貨の入金及び出金に関する構成については説明を省略する。
【００６４】
図２に示すように、現金自動預払機１において預払機筐体２の内部には、当該現金自動預払機１全体を統括制御する例えば、マイクロコンピュータ構成の制御部１０が設けられている。
【００６５】
また現金自動預払機１において預払機筐体２の内部には、例えば、中央よりも上側に、上述の紙幣投入取出部６及び返却口９を有する異物排出部１１が配置されると共に、鑑別部１２及び一時保留部１３も配置されている。
【００６６】
さらに現金自動預払機１において預払機筐体２の内部には、例えば、中央よりも下側に、紙幣を金種別に収納する（すなわち、それぞれ特定の１種類の紙幣のみを収納する）複数の紙幣収納カセット１４乃至１６が予め内蔵（すなわち、内部に固定）されている。
【００６７】
さらにまた現金自動預払機１において預払機筐体２の内部には、例えば、中央よりも下側に、取り引きの際に異常であると鑑別された紙幣（以下、これを特にリジェクト紙幣とも呼ぶ）を収納するためのリジェクトカセット１７が着脱可能に設けられている。
【００６８】
そして現金自動預払機１において預払機筐体２の内部には、紙幣投入取出部６、鑑別部１２、一時保留部１３、複数の紙幣収納カセット１４乃至１６及びリジェクトカセット１７との間で紙幣を搬送する搬送路１８も配置されている。
【００６９】
因みに、紙幣投入取出部６には、長方形の紙幣が、当該紙幣の長手方向（以下、これを紙幣長手方向とも呼ぶ）を左方向と一致させ、一方の長辺を下に向けて立てような姿勢で収容される。
【００７０】
なお、以下の説明では、紙幣投入取出部６に紙幣を収容する際の、当該紙幣の紙幣長手方向を左方向と一致させ、一方の長辺を下に向けて立てような姿勢を、立収容姿勢とも呼ぶ。
【００７１】
そして現金自動預払機１では、紙幣投入取出部６に紙幣を収納する際の立収容姿勢に応じて、搬送路１８により紙幣を、当該紙幣の短手方向（以下、これを紙幣短手方向とも呼ぶ）を搬送方向と一致させるような向きで搬送している。
【００７２】
また現金自動預払機１では、このような紙幣の搬送の向きに応じて、鑑別部１２、一時保留部１３、複数の紙幣収納カセット１４乃至１６及びリジェクトカセット１７により当該紙幣を、紙幣長手方向を左方向と一致させるような向きで扱っている。
【００７３】
制御部１０は、紙幣の入金時、紙幣投入取出部６に顧客により入金用の１又は複数の紙幣が投入されると、当該紙幣投入取出部６から、その入金用の紙幣を図示しない紙幣繰出機構によって１枚ずつ繰り出し搬送路１８を介して鑑別部１２に搬送して、当該鑑別部１２において紙幣の金種や状態等を鑑別させる。
【００７４】
その結果、制御部１０は、鑑別部１２において正常であると鑑別された紙幣については、当該鑑別部１２から搬送路１８を介して一時保留部１３に搬送して一時的に保持することにより、当該紙幣の入金を保留する。
【００７５】
また制御部１０は、鑑別部１２において破損や折れ等により異常であると鑑別された紙幣、すなわちリジェクト紙幣については、当該鑑別部１２から搬送路１８を介して紙幣投入取出部６まで搬送する。
【００７６】
そして制御部１０は、図示しない紙幣取込機構により、そのリジェクト紙幣を紙幣投入取出部６に取り込み、顧客に当該紙幣投入取出部６から取り出させるようにして返却する。
【００７７】
このようにして制御部１０は、鑑別部１２において、紙幣投入取出部６に投入された紙幣が全て鑑別されると、正常であると鑑別された紙幣の総額（すなわち、入金の金額）を、タッチスクリーン４を介して顧客に提示する。
【００７８】
その結果、制御部１０は、入金の金額を確認した顧客によりタッチスクリーン４を介して紙幣の入金が指示されると、一時保留部１３から一時的に保持していた紙幣を１枚ずつ繰り出し搬送路１８を介して鑑別部１２に戻す。
【００７９】
そして制御部１０は、鑑別部１２において再び紙幣の金種を鑑別させた後、当該鑑別部１２から金種が鑑別された紙幣を、搬送路１８を介して、その鑑別された金種に応じた紙幣収納カセット１４乃至１６に搬送して収納する。このようにして制御部１０は、顧客の所望する取り引きとしての紙幣の入金を行うことができる。
【００８０】
一方、制御部１０は、紙幣の出金時、顧客により出金の金額が指定されると、紙幣収納カセット１４乃至１６から、その指定された金額分の紙幣を１枚ずつ繰り出し搬送路１８を介して鑑別部１２に搬送して、当該鑑別部１２において紙幣の金種や状態等を鑑別させる。
【００８１】
その結果、制御部１０は、鑑別部１２において正常であると鑑別された紙幣については、当該鑑別部１２から搬送路１８を介して紙幣投入取出部６まで搬送し、紙幣取込機構により当該紙幣投入取出部６に取り込む。
【００８２】
ただし、制御部１０は、鑑別部１２により鑑別された紙幣の中にリジェクト紙幣が存在すると、当該鑑別部１２からリジェクト紙幣を、搬送路１８を介して一時保留部１３に搬送して一時的に保持させる。
【００８３】
そして制御部１０は、紙幣投入取出部６に、出金用に指定された金額分の紙幣を搬送し終えると、当該紙幣投入取出部６から顧客に、その出金用に指定された金額分の紙幣を取り出させるようにして引き渡す。このようにして制御部１０は、顧客の所望する取り引きとしての紙幣の出金を行うことができる。
【００８４】
ところで、制御部１０は、この際、一時保留部１３にリジェクト紙幣を保持すると、出金の終了後（すなわち、紙幣を顧客に引き渡した後）、一時保留部１３から一時的に保持していたリジェクト紙幣を１枚ずつ繰り出し搬送路１８を介して鑑別部１２に戻す。
【００８５】
そして制御部１０は、鑑別部１２において再びリジェクト紙幣の金種や状態等を鑑別させた後、そのリジェクト紙幣を、搬送路１８を介してリジェクトカセット１７に搬送して収納する。
【００８６】
このようにして制御部１０は、紙幣の出金時、紙幣収納カセット１４乃至１６から繰り出した紙幣の中でリジェクト紙幣を発見すると、そのリジェクト紙幣を分別して専用のリジェクトカセット１７に保管し、その後、出金には用いないようにする。
【００８７】
（１−３）異物排出部の構成
次いで、異物排出部１１の構成について説明する。図３及び図４に示すように異物排出部１１は、例えば、預払機筐体２内部の右上前寄りに配置されている。
【００８８】
そして異物排出部１１は、上板の表面２０Ａが上述の上向パネル３Ａの一部となる略箱型の収納部２０と、当該収納部２０の外部に配置され、一端から他端へ向けて異物を搬送するようにして当該他端に上述の返却口９が形成された異物搬送路２１とから構成されている。
【００８９】
因みに、以下の説明では、一端から他端へ向けて異物を搬送する異物搬送路２１の当該一端を、搬送路一端とも呼び、他端を、搬送路他端とも呼ぶ。
【００９０】
収納部２０は、上板の前端部に、紙幣の入出金用の例えば、長方形状の開口部（以下、これを紙幣入出金口とも呼ぶ）２０ＡＸが、当該紙幣入出金口２０ＡＸの長手方向を左方向と平行にして形成されている。そして収納部２０内には、紙幣入出金口２０ＡＸの真下に、上述の紙幣投入取出部６が収納されている。
【００９１】
ここで、紙幣投入取出部６は、入金用及び出金用の紙幣を収容するための、断面形状が長方形の略角パイプ状の紙幣収容部２２と、略偏平矩形状のシャッタ２３と、当該シャッタ２３を駆動するためのモータや複数のギヤ等からなるシャッタ駆動部２４とを有している。
【００９２】
図３及び図４と共に図５に示すように、紙幣収容部２２は、一端の長方形の開口部２２Ａ及び他端の長方形の開口部の大きさが、それぞれ収納部２０の紙幣入出金口２０ＡＸの大きさとほぼ等しく選定されている。
【００９３】
因みに、以下の説明では、紙幣収容部２２において一端の開口部２２Ａの長手方向（他端の開口部の長手方向でもある）を、開口長手方向とも呼び、当該一端の開口部２２Ａの短手方向（他端の開口部の短手方向でもある）を、開口短手方向とも呼ぶ。
【００９４】
そして紙幣収容部２２は、一端を上に向けると共に他端を下に向けて、開口長手方向を左方向と平行にし、かつ開口短手方向を前方向と平行にして、当該一端の開口部２２Ａを収納部２０の紙幣入出金口２０ＡＸと所定の間隙を介して対向させて配置されている。
【００９５】
因みに、以下の説明では、紙幣収容部２２において上に向けた一端を、収容部上端とも呼び、当該収容部上端に形成された開口部２２Ａを、上側開口部２２Ａとも呼ぶ。
【００９６】
また、以下の説明では、紙幣収容部２２において下に向けた他端を、収容部下端とも呼び、当該収容部下端に形成された開口部を、下側開口部とも呼ぶ。
【００９７】
紙幣収容部２２は、下側開口部内に、紙幣を上述の立収容姿勢で支持する（すなわち、紙幣収容部２２内に紙幣を収容したままにするための）例えば、角柱状の２本の紙幣支持部２２Ｂ、２２Ｃが、その長手方向を開口短手方向（すなわち、前方向）と平行にし、かつ開口長手方向に添って等間隔で配置されている。
【００９８】
これにより紙幣収容部２２は、ほぼ水平な２本の紙幣支持部２２Ｂ、２２Ｃにより下側開口部が３つの穴２２Ｄ乃至２２Ｆに区切られている。
【００９９】
一方、シャッタ２３は、一面の大きさが収納部２０の紙幣入出金口２０ＡＸの大きさよりも僅かに大きく選定されている。
【０１００】
そしてシャッタ２３は、一面を上に向けた姿勢で、収納部２０の上板の前端部と紙幣収容部２２の収容部上端との間隙に入り込んで、紙幣入出金口２０ＡＸ及び上側開口部２２Ａを共に閉塞する位置と、その位置よりも後側に退避して当該紙幣入出金口２０ＡＸ及び上側開口部２２Ａを共に開放する位置とに移動可能に支持されている。
【０１０１】
因みに、以下の説明では、シャッタ２３が収納部２０の上板の前端部と紙幣収容部２２の収容部上端との間隙に入り込んで、紙幣入出金口２０ＡＸ及び上側開口部２２Ａを共に閉塞する位置を、閉塞位置とも呼ぶ。
【０１０２】
また、以下の説明では、シャッタ２３が、閉塞位置よりも後側に退避して紙幣入出金口２０ＡＸ及び上側開口部２２Ａを共に開放する位置を、開放位置とも呼ぶ。
【０１０３】
これにより紙幣投入取出部６は、上述の制御部１０によるシャッタ駆動部２４の制御に応じて、当該シャッタ駆動部２４によりシャッタ２３を後方向の開放位置まで移動させて収納部２０の紙幣入出金口２０ＡＸ及び紙幣収容部２２の上側開口部２２Ａを共に開放することができる。
【０１０４】
また紙幣投入取出部６は、制御部１０によるシャッタ駆動部２４の制御に応じて、当該シャッタ駆動部２４によりシャッタ２３を前方向の閉塞位置まで移動させて収納部２０の紙幣入出金口２０ＡＸ及び紙幣収容部２２の上側開口部２２Ａを共に閉塞することができる。
【０１０５】
よって紙幣投入取出部６は、紙幣の入金時、シャッタ２３を移動させて収納部２０の紙幣入出金口２０ＡＸ及び紙幣収容部２２の上側開口部２２Ａを共に開放することで、当該紙幣入出金口２０ＡＸ及び上側開口部２２Ａを順次介して紙幣収容部２２に入金用の紙幣を投入させることができる。
【０１０６】
そして紙幣投入取出部６は、紙幣収容部２２から、これに投入された入金用の紙幣を、上述のように図示しない紙幣繰出機構により１枚ずつ繰り出させて搬送路１８を介し鑑別部１２に搬送させることができる。
【０１０７】
また紙幣投入取出部６は、紙幣の出金時、搬送路１８を介して搬送された、出金用の紙幣を、上述のように図示しない紙幣取込機構により紙幣収容部２２に取り込む。
【０１０８】
そして紙幣投入取出部６は、シャッタ２３を移動させて収納部２０の紙幣入出金口２０ＡＸ及び紙幣収容部２２の上側開口部２２Ａを共に開放することで、紙幣収容部２２から出金用の紙幣を上側開口部２２Ａ及び紙幣入出金口２０ＡＸを順次介して取り出させることができる。
【０１０９】
ここで、図６を用いて紙幣収容部２２の下側開口部内に対する２本の紙幣支持部２２Ｂ、２２Ｃの配置位置について説明する。
【０１１０】
まず、紙幣収容部２２において下側開口部の開口長手方向の長さをＬ１とし、当該下側開口部の中心から個々の紙幣支持部２２Ｂ、２２Ｃの中心線までの距離をＬ２とする。
【０１１１】
また現金自動預払機１で取扱可能な複数種類の紙幣のうち最も小さい（すなわち、紙幣長手方向の長さが最も短い）紙幣（以下、これを特に最小紙幣とも呼ぶ）ＢＬ１の紙幣長手方向の長さをＬ３とする。
【０１１２】
因みに、現金自動預払機１で取扱可能な複数種類の紙幣の中の最小紙幣ＢＬ１は、その現金自動預払機１が日本で使用される場合、１０００円紙幣となる。
【０１１３】
さらに紙幣収容部２２において最小紙幣ＢＬ１の紙幣長手方向を開口長手方向と平行にして、当該紙幣収容部２２の開口長手方向の一方の内壁に、その最小紙幣ＢＬ１の一方の短辺を接触させたときの、下側開口部の中心から最小紙幣ＢＬ１の他方の短辺までの距離をＬ４とし、当該下側開口部の中心から最小紙幣ＢＬ１の中心までの距離をＬ５とする。
【０１１４】
そして紙幣収容部２２では、現金自動預払機１で取扱可能な複数種類の紙幣のうち最も大きい（すなわち、紙幣長手方向の長さが最も長い）紙幣（以下、これを特に最大紙幣とも呼ぶ）の紙幣長手方向の長さをＬ６とすると、（１）式
【０１１５】
Ｌ１＞Ｌ６                                                  ……（１）
【０１１６】
で表されるように、下側開口部の開口長手方向の長さが最大紙幣の紙幣長手方向の長さよりも長く選定されている。
【０１１７】
因みに、現金自動預払機１で取扱可能な複数種類の紙幣の中の最大紙幣は、その現金自動預払機１が日本で使用される場合、１００００円紙幣となる。
【０１１８】
そのうえで、紙幣収容部２２では、（２）式
【０１１９】
Ｌ４＞Ｌ２＞Ｌ５                                            ……（２）
【０１２０】
で表されるように、下側開口部に対し最小紙幣ＢＬ１の中心が何処に位置しても、最小紙幣ＢＬ１の中心から一方及び他方の短辺までの間にそれぞれ紙幣支持部２２Ｂ、２２Ｃを位置させるように、当該紙幣支持部２２Ｂ、２２Ｃの配置位置が選定されている。
【０１２１】
これにより紙幣収容部２２は、紙幣の入金時や出金時、大きさの異なる複数種類の紙幣の何れも立収容姿勢にして、２本の紙幣支持部２２Ｂ、２２Ｃによって支持して（すなわち、受け止めて）収容（すなわち、保持）することができる。
【０１２２】
そして紙幣収容部２２では、２本の紙幣支持部２２Ｂ、２２Ｃにより下側開口部を区切るようにして形成された３つの穴２２Ｄ乃至２２Ｆそれぞれの開口長手方向の長さをＬ７とし、例えば、現金自動預払機１で取扱可能な複数種類の硬貨のうち最も大きい（すなわち、一面の直径が最も長い）硬貨（以下、これを特に最大硬貨とも呼ぶ）の直径をＬ８とすると、上述の（１）式及び（２）式で表される紙幣支持部２２Ｂ、２２Ｃの配置位置の選定条件を満たしたうえで、（３）式
【０１２３】
Ｌ７＞Ｌ８                                                  ……（３）
【０１２４】
で表されるように、これら３つの穴２２Ｄ乃至２２Ｆそれぞれの開口長手方向の長さが最大硬貨の直径よりも長く選定されている。
【０１２５】
因みに、現金自動預払機１で取扱可能な複数種類の硬貨の中の最大硬貨は、その現金自動預払機１が日本で使用される場合、５００円硬貨となり、直径は２６．５［ｍｍ］である。
【０１２６】
また紙幣収容部２２では、下側開口部の開口短手方向の長さ、すなわち、３つの穴２２Ｄ乃至２２Ｆそれぞれの開口短手方向の長さをＬ９とすると、（４）式
【０１２７】
Ｌ９＞Ｌ８                                                  ……（４）
【０１２８】
で表されるように、当該３つの穴２２Ｄ乃至２２Ｆの開口短手方向の長さも、最大硬貨の直径より長く選定されている。
【０１２９】
このように紙幣収容部２２では、３つの穴２２Ｄ乃至２２Ｆの大きさが、当該紙幣収容部２２に誤って投入される異物としての例えば、硬貨の大きさを基準にして選定されている。
【０１３０】
これにより紙幣収容部２２は、例えば、紙幣の入金時、異物として大きさの異なる複数種類の硬貨の何れが誤って投入された場合でも、その硬貨を、当該硬貨の自重で収容部下端側へ落下させ、さらに３つの穴２２Ｄ乃至２２Ｆに通して紙幣収容部２２の下に落とすことができる。
【０１３１】
また紙幣収容部２２は、例えば、紙幣の入金時、異物として硬貨以外にクリップや遊戯用のメダル等が誤って投入された場合でも、これらが３つの穴２２Ｄ乃至２２Ｆよりも小さいと、硬貨と同様に紙幣収容部２２の下に落とすことができる。
【０１３２】
因みに、このような説明からも明らかなように、紙幣収容部２２において収容部下端の３つの穴２２Ｄ乃至２２Ｆは、収納対象の紙幣（すなわち、入金用及び出金用の紙幣）は通さずに、硬貨やクリップ、遊戯用メダル等の異物は通して落下させるためのものである。
【０１３３】
よって、以下の説明では、紙幣収容部２２の収容部下端の３つの穴２２Ｄ乃至２２Ｆを、異物落下用穴２２Ｄ乃至２２Ｆとも呼ぶ。
【０１３４】
このようにして異物排出部１１では、例えば、紙幣の入金時、紙幣投入取出部６の紙幣収容部２２に誤って硬貨やクリップ等が投入されても、これらを異物として紙幣収容部２２から落下させるようにして除去することができる。
【０１３５】
すなわち、異物排出部１１では、例えば、紙幣の入金時、紙幣投入取出部６の紙幣収容部２２に入金用の紙幣と共に、誤って硬貨やクリップ等が投入されても、これらを異物として紙幣収容部２２から落下させるようにして除去して紙幣から分離することができる。
【０１３６】
また異物排出部１１では、例えば、紙幣の入金時、紙幣投入取出部６の紙幣収容部２２に紙幣は投入されずに、誤って硬貨やクリップ等のみが投入されても、これらを異物として紙幣収容部２２から落下させて除去することができる。
【０１３７】
これに加えて収納部２０には、紙幣収容部２２の下に、当該紙幣収容部２２から落下した硬貨のような異物を受け取って異物搬送路２１へと繰り出すための異物受取繰出部２５が収納されている。
【０１３８】
図３及び図４と共に図７に示すように、異物受取繰出部２５は、紙幣収容部２２の収容部下端の左縁のほぼ真下に、回動軸を前方向と平行にし、当該回動軸を中心にして一回転方向及び他回転方向に回動可能に支持された左側プーリ２６を有している。
【０１３９】
また異物受取繰出部２５は、紙幣収容部２２の収容部下端の右縁よりも斜め右下に、回動軸を前方向と平行にし、当該回動軸を中心して一回転方向及び他回転方向に回動可能に支持された右側プーリ２７も有している。
【０１４０】
この場合、左側プーリ２６及び右側プーリ２７は、右方向に添って並ぶようにして配置されている。そして異物受取繰出部２５において左側プーリ２６から右側プーリ２７には、例えば、紙幣収容部２２の収容部下端の開口短手方向の長さとほぼ等しい幅を有する平ベルトでなる搬送ベルト２８が、当該左側プーリ２６及び右側プーリ２７間に一対のほぼ直線状の部分２８Ａ、２８Ｂを形成するように架けられている。
【０１４１】
因みに、搬送ベルト２８は、外面及び内面に凹凸や突起等が特には設けられていないが、以下の説明では、当該搬送ベルト２８において外面及び内面の形状や加工の有無等に関わらずに左側プーリ２６及び右側プーリ２７間の一対のほぼ直線状に伸びているような部分２８Ａ、２８Ｂを、平坦部２８Ａ、２８Ｂとも呼ぶ。
【０１４２】
ただし、以下の説明では、搬送ベルト２８において左側プーリ２６及び右側プーリ２７間の一対の平坦部２８Ａ、２８Ｂのうち上側の平坦部２８Ａを、特に上側平坦部２８Ａとも呼び、下側の平坦部２８Ｂを、特に下側平坦部２８Ｂとも呼ぶ。
【０１４３】
これにより異物受取繰出部２５は、搬送ベルト２８の上側平坦部２８Ａの左寄りを、紙幣収容部２２の収容部下端と所定の間隔を空けて対向させている。
【０１４４】
よって異物受取繰出部２５は、紙幣収容部２２の収容部下端から落下する硬貨のような異物を搬送ベルト２８の上側平坦部２８Ａに載せるようにして受け取ることができる。
【０１４５】
また異物受取繰出部２５は、左側プーリ２６及び右側プーリ２７と共に搬送ベルト２８を一回転方向及び他回転方向に回動させるように駆動するベルト駆動部２９も有している。
【０１４６】
因みに、ベルト駆動部２９は、例えば、収納部２０内で左側プーリ２６及び右側プーリ２７の後側に配置され、モータと、当該モータの出力軸を左側プーリ２６及び右側プーリ２７の一方の回動軸に連結する複数のギヤとを有している。
【０１４７】
そして異物受取繰出部２５は、上述の制御部１０によるベルト駆動部２９の制御に応じて、当該ベルト駆動部２９により左側プーリ２６及び右側プーリ２７と共に搬送ベルト２８を一回転方向に回転させる。
【０１４８】
これにより異物受取繰出部２５は、搬送ベルト２８の上側平坦部２８Ａに載せるようにして受け取った異物を、当該搬送ベルト２８により右方向へ搬送する（移動させる）ことができる。
【０１４９】
また異物受取繰出部２５は、制御部１０によるベルト駆動部２９の制御に応じて、当該ベルト駆動部２９により左側プーリ２６及び右側プーリ２７と共に搬送ベルト２８を他回転方向に回動させる。
【０１５０】
これにより異物受取繰出部２５は、搬送ベルト２８の上側平坦部２８Ａに載せるようにして受け取った異物を、当該搬送ベルト２８により左方向へ搬送する（移動させる）こともできる。
【０１５１】
また異物受取繰出部２５は、一端部が中央部に対してほぼ直角に屈曲されたように形成された略Ｌ字角パイプ状の受取繰出ガイド３０を有している。
【０１５２】
因みに、以下の説明では、受取繰出ガイド３０において一端部を、ガイド一端部とも呼び、当該ガイド一端部の端、すなわち受取繰出ガイド３０の一端を、ガイド一端とも呼ぶ。
【０１５３】
また、以下の説明では、受取繰出ガイド３０において他端部を、ガイド他端部とも呼び、当該ガイド他端部の端、すなわち受取繰出ガイド３０の他端を、ガイド他端とも呼ぶ。
【０１５４】
さらに、以下の説明では、受取繰出ガイド３０においてガイド一端部とガイド他端部との間の中央部、すなわち受取繰出ガイド３０の中央部分を、ガイド中央部とも呼ぶ。
【０１５５】
受取繰出ガイド３０は、ガイド一端に紙幣収容部２２の収容部下端とほぼ等しい大きさを有する、又は僅かに大きい長方形状の異物取込用の開口部（以下、これを異物取込口とも呼ぶ）３０Ｘが、その長手方向を左方向と平行にして形成されている。
【０１５６】
そして受取繰出ガイド３０は、ガイド一端の異物取込口３０Ｘの前縁、後縁、左縁、右縁を、紙幣収容部２２の収容部下端の前縁、後縁、左縁、右縁に近接させて当該異物取込口３０Ｘを収容部下端と対向させると共に、ガイド中央部の下側を搬送ベルト２８の上側平坦部２８Ａと対向させて、ガイド他端部を右側プーリ２７よりも右側に突出させるようにして配置されている。
【０１５７】
また受取繰出ガイド３０は、ガイド中央部において搬送ベルト２８の上側平坦部２８Ａと対向する下側部分に、前側、後側及び左側にそれぞれ向いた壁部３０Ａ乃至３０Ｃと、下側に向いた壁部３０Ｄの他端部側とを残すようにして当該上側平坦部２８Ａとほぼ等しい大きさを有する右方向に長い長方形状の開口部３０Ｙが形成されている。
【０１５８】
因みに、以下の説明では、受取繰出ガイド３０のガイド中央部において下側部分に形成された開口部３０Ｙを、ベルト用開口部３０Ｙとも呼ぶ。
【０１５９】
また、以下の説明では、受取繰出ガイド３０において前側に向いた壁部３０Ａを、前壁部３０Ａとも呼び、後側に向いた壁部３０Ｂを、後壁部３０Ｂとも呼び、左側に向いた壁部３０Ｃを、左壁部３０Ｃとも呼び、さらに他端部において下側に向いた壁部３０Ｄを、下壁部３０Ｄとも呼ぶ。
【０１６０】
ここで、前壁部３０Ａは、受取繰出ガイド３０のガイド一端の前縁（すなわち、異物取込口３０Ｘの前縁）からガイド他端の前縁に亘る壁部であり、略Ｌ字の平板状に形成されている。
【０１６１】
そして受取繰出ガイド３０は、前壁部３０Ａにおいてベルト用開口部３０Ｙの前縁部分の内面を、搬送ベルト２８の上側平坦部２８Ａの前側の縁に近接させて、当該ベルト用開口部３０Ｙの前縁を上側平坦部２８Ａの前側の縁よりも下側に位置させている。
【０１６２】
また後壁部３０Ｂは、受取繰出ガイド３０のガイド一端の後縁（すなわち、異物取込口３０Ｘの後縁）からガイド他端の後縁に亘る壁部であり、略Ｌ字の平板状に形成されている。
【０１６３】
そして受取繰出ガイド３０は、後壁部３０Ｂにおいてベルト用開口部３０Ｙの後縁部分の内面を、搬送ベルト２８の上側平坦部２８Ａの後側の縁に近接させて、当該ベルト用開口部３０Ｙの後縁を上側平坦部２８Ａの後側の縁よりも下側に位置させている。
【０１６４】
さらに左壁部３０Ｃは、受取繰出ガイド３０のガイド一端の左縁（すなわち、異物取込口３０Ｘの左縁）からガイド中央部の左下縁（すなわち、ベルト用開口部３０Ｙの左縁）に亘る壁部であり、四角形の平板状に形成されている。
【０１６５】
そして受取繰出ガイド３０は、左壁部３０Ｃの下縁（すなわち、ガイド中央部の左下縁）を、搬送ベルト２８の上側平坦部２８Ａの左はじに近接させている。
【０１６６】
さらにまた受取繰出ガイド３０は、ガイド一端の右縁（すなわち、異物取込口３０Ｘの右縁）からガイド中央部を経てガイド他端の上縁に亘る上側の壁部（以下、これを上壁部とも呼ぶ）３０Ｅが、略Ｌ字の板状に形成されている。
【０１６７】
そして受取繰出ガイド３０は、上壁部３０Ｅにおいてガイド中央部の上側となる部分を、搬送ベルト２８の上側平坦部２８Ａの右はじの部分と対向させている。
【０１６８】
このようにして受取繰出ガイド３０は、ガイド一端部及びガイド中央部により、紙幣収容部２２の収容部下端と、搬送ベルト２８の上側平坦部２８Ａとの間に、当該収容部下端から硬貨のような異物を上側平坦部２８Ａまで落下させるようにガイドする通路（以下、これを異物落下通路とも呼ぶ）を、その異物が入り込むような隙間がないように形成している。
【０１６９】
これにより受取繰出ガイド３０は、紙幣収容部２２の異物落下用穴２２Ｄ乃至２２Ｆを通った硬貨のような異物を異物落下通路に通して、収容部下端の周囲に散乱させることなく搬送ベルト２８の上側平坦部２８Ａまで落下させることができる。
【０１７０】
また受取繰出ガイド３０は、搬送ベルト２８の上側平坦部２８Ａまで硬貨のような異物が落下した際、異物落下通路により、その異物を上側平坦部２８Ａからこぼれ落ちさせることなく当該上側平坦部２８Ａに留めることができる。
【０１７１】
ところで、受取繰出ガイド３０は、ガイド中央部の右寄り部分（すなわち、前壁部３０Ａ、後壁部３０Ｂ及び上壁部３０Ｅ）により、搬送ベルト２８の上側平坦部２８Ａの右はじ部分を覆っている。
【０１７２】
これにより受取繰出ガイド３０は、ガイド中央部の右寄り内部に、前壁部３０Ａ、後壁部３０Ｂ及び上壁部３０Ｅと共に搬送ベルト２８の上側平坦部２８Ａの右はじ部分とで囲まれた当該搬送ベルト２８の幅とほぼ等しい幅を有する断面長方形状の異物繰出通路を形成している。
【０１７３】
これに応じて受取繰出ガイド３０は、ガイド他端部に、ガイド中央部の右寄り内部の異物繰出通路と同様に搬送ベルト２８の幅とほぼ等しい幅を有し、当該異物繰出通路と連結される断面長方形状の穴が形成されている。
【０１７４】
また受取繰出ガイド３０は、ガイド他端の異物繰出用の開口部（以下、これを異物繰出口とも呼ぶ）３０Ｚも、搬送ベルト２８の幅とほぼ等しい幅を有する長方形状に形成されている。
【０１７５】
そして受取繰出ガイド３０は、ほぼ水平なガイド中央部に対しガイド他端部が、異物繰出口３０Ｚを右斜め下に向けて傾斜するように形成されており、ガイド他端が収納部２０の右側壁２０Ｂに穿設された孔部２０ＢＸに挿入されている。
【０１７６】
ただし、受取繰出ガイド３０は、下壁部３０Ｄの左側の縁（すなわち、ベルト用開口部３０Ｙの右縁でもある）を、搬送ベルト２８の右側の円弧状の部分に近接させている。
【０１７７】
これにより受取繰出ガイド３０は、ガイド中央部の右寄り内部の異物繰出通路をガイド他端部の穴に、異物が引っ掛かるような段差がなく、また異物が入り込むような隙間がないように連結している。
【０１７８】
すなわち、受取繰出ガイド３０は、ガイド中央部の右寄り内部の異物繰出通路をガイド他端部の穴によって異物繰出口３０Ｚまで延長させて（すなわち、ガイド中央部の右寄り内部からガイド他端部の穴を介して異物繰出口３０Ｚまでが異物繰出通路として形成されて）いる。
【０１７９】
因みに、異物繰出通路においてガイド中央部の右寄り内部の区間は、ほぼ水平に形成されており、よって以下の説明では、当該ガイド中央部の右寄り内部の区間を、水平区間とも呼ぶ。
【０１８０】
また異物繰出通路においてガイド他端部内の区間は、右斜め下方向に傾斜するように形成されており、よって以下の説明では、当該ガイド他端部内の区間を、傾斜区間とも呼ぶ。
【０１８１】
そして受取繰出ガイド３０は、異物繰出通路を水平区間の先で傾斜区間として傾斜させていることで、搬送ベルト２８により異物繰出通路の水平区間に通されて上側平坦部２８Ａの右はじまで搬送された硬貨のような異物を、その先では自重で傾斜区間を右斜め下に滑らせるようにして移動させ、最終的に異物繰出口３０Ｚから繰り出すことができる。
【０１８２】
また受取繰出ガイド３０は、異物繰出通路の水平区間の高さ（すなわち、搬送ベルト２８の上側平坦部２８Ａと、これに対向する上壁部３０Ｅの内面との間隙）が、現金自動預払機１で取扱可能な複数種類の硬貨の中で最も厚い硬貨（以下、これを最厚硬貨とも呼ぶ）が例えば、２枚又は３枚程度までは上下に重なっていても通すことができるように選定されている。
【０１８３】
因みに、現金自動預払機１で取扱可能な複数種類の硬貨の中の最厚硬貨は、その現金自動預払機１が日本で使用される場合、５００円硬貨となる。
【０１８４】
よって受取繰出ガイド３０は、異物繰出通路において硬貨のような異物を繰り出す際の当該異物の入口部分となる水平区間の高さにより、一度に大量の異物を繰り出すことがないように、異物の繰出量（硬貨の場合は枚数）を制限している。
【０１８５】
また受取繰出ガイド３０は、異物繰出通路の傾斜区間の高さ（すなわち、下壁部３０Ｄの内面と、これに対向する上壁部３０Ｅの内面との間隙）が、水平区間の高さ以上の所定の高さに選定されている。
【０１８６】
これにより受取繰出ガイド３０は、硬貨のような異物が異物繰出通路の水平区間と傾斜区間との境界部分を通る際に姿勢を変化させても、その境界部分で詰まることを回避している。
【０１８７】
これに加えて受取繰出ガイド３０には、後壁部３０Ｂの内面において異物取込口３０Ｘの後縁の例えば、中央と搬送ベルト２８の上側平坦部２８Ａとの間の所定位置に、搬送ベルト２８の幅よりも僅かに短い圧縮コイルばね３１の一端が、当該圧縮コイルばね３１の長手方向を前方向と平行にして取り付けられている。
【０１８８】
すなわち、受取繰出ガイド３０には、後壁部３０Ｂの内面の所定位置に、圧縮コイルばね３１の一端が、当該圧縮コイルばね３１を紙幣収容部２２の収容部下端と、搬送ベルト２８の上側平坦部２８Ａとからそれぞれ所定の隙間を空けるようにして取り付けられている。
【０１８９】
圧縮コイルばね３１は、搬送ベルト２８の上側平坦部２８Ａに複数の硬貨のような異物が重なって載った場合に、当該搬送ベルト２８による異物の左方向及び右方向への搬送に応じて、その重なりを崩すためのものである。
【０１９０】
因みに、異物としての複数の硬貨は、例えば、搬送ベルト２８の上側平坦部２８Ａに積層状に重なって載る場合がある。
【０１９１】
搬送ベルト２８の上側平坦部２８Ａに複数の硬貨が積層状に重なって載った状態とは、当該上側平坦部２８Ａに、これら複数の硬貨が、それぞれ一面（硬貨の表面又は裏面）を下に向けた水平姿勢で上方向に順に積み重なって載るような状態である。
【０１９２】
また異物としての複数の硬貨は、例えば、搬送ベルト２８の上側平坦部２８Ａに楔状に重なって載る場合もある。
【０１９３】
搬送ベルト２８の上側平坦部２８Ａに複数の硬貨が楔状に重なって載った状態とは、当該上側平坦部２８Ａに単独で載った水平姿勢の１枚の硬貨、又は積層状に重なって載った複数の硬貨を土台にして、その土台となる硬貨（最も上の硬貨）の縁に、他の１又は複数の硬貨が一面を水平方向に対して傾斜させた傾斜姿勢で順に支えられるように重なって載るような状態である。
【０１９４】
そして、本実施の形態の場合、このような複数の硬貨の楔状の重なりとしては、１又は複数の傾斜姿勢の硬貨が左側よりも右側を下げて、あたかも楔の先端を右に向けているようなものがある。
【０１９５】
また、本実施の形態の場合、このような複数の硬貨の楔状の重なりとしては、１又は複数の傾斜姿勢の硬貨が右側よりも左側を下げて、あたかも楔の先端を左に向けているようなものもある。
【０１９６】
よって、以下の説明では、このような複数の硬貨の楔状の重なりを適宜、右向き及び左向きと呼んで区別し、このような向きの区別が特には必要ない場合、単に楔状の重なりとも呼ぶ。
【０１９７】
そして圧縮コイルばね３１は、このような複数の硬貨の積層状や楔状の重なりを崩すために、搬送ベルト２８の上側平坦部２８Ａとの間に例えば、最厚硬貨を１枚だけ、又は２枚重ねた状態で通すことができる程度に、当該上側平坦部２８Ａから離されている。
【０１９８】
また圧縮コイルばね３１は、搬送ベルト２８の上側平坦部２８Ａに例えば、積層状や楔状に重なって載っている複数の硬貨が左方向及び右方向へ移動して押し付けられた場合、一端を支点として他端部が左側や右側へ適宜曲がるように、ばね径やばね定数等が選定されている。
【０１９９】
そして圧縮コイルばね３１は、一端を支点として他端部が曲げられた場合でも、当該他端部が紙幣収容部２２の収容部下端に接触しないように、当該収容部下端から離されている。
【０２００】
これにより圧縮コイルばね３１は、搬送ベルト２８の上側平坦部２８Ａに複数の硬貨のような異物が積層状や楔状のように重なって載った状態で左方向や右方向へ移動して押し付けられた場合、重なりの上側に位置する異物については、その移動を遮り、下側に位置する異物については上側平坦部２８Ａとの間を通すようにして、その重なりを崩すことができる。
【０２０１】
また受取繰出ガイド３０は、上壁部３０Ｅの内面において異物取込口３０Ｘの右縁の真下の角部（すなわち、異物繰出通路の入口の上側）に、略へ字状に屈曲されたフィルム又は板ばね等のような所定の弾性を有する繰出量制限部３２が取り付けられている。
【０２０２】
この場合、繰出量制限部３２は、一端部が上壁部３０Ｅの内面に接合されると共に、他端部を上壁部３０Ｅの内面から離して右斜め下方向と平行にすることにより、他端を異物繰出通路内に入り込ませて搬送ベルト２８の上側平坦部２８Ａと対向させている。
【０２０３】
また繰出量制限部３２は、他端を搬送ベルト２８の上側平坦部２８Ａから、例えば、最厚硬貨１枚分の厚さに相当する距離だけ離して位置させるように、他端部の長さや一端部に対する他端部の屈曲角度が適宜選定されている。
【０２０４】
これにより繰出量制限部３２は、例えば、搬送ベルト２８により上側平坦部２８Ａに積層状に重なって載っている複数の硬貨が右方向に搬送された場合、他端部により複数の硬貨を、重なりを崩しながら１枚ずつ順に異物繰出通路に入り込ませることができる。
【０２０５】
また繰出量制限部３２は、例えば、搬送ベルト２８により上側平坦部２８Ａに左向きで楔状に重なって載っている複数の硬貨が右方向に搬送された場合も、同様に他端部により当該複数の硬貨を、重なりを崩しながら１枚ずつ順に異物繰出通路に入り込ませることができる。
【０２０６】
さらに繰出量制限部３２は、例えば、搬送ベルト２８により上側平坦部２８Ａに右向きで楔状に重なって載っている複数の硬貨が右方向に搬送された場合、当該複数の硬貨全体の高さが異物繰出通路の水平区間の高さよりも低いと、他端部を複数の硬貨の押し付けに応じて上壁部３０Ｂの内面に近づける、又は当接させるように変形させる。
【０２０７】
これにより繰出量制限部３２は、右向きで楔状に重なっている複数の硬貨については、ほぼ楔状に重なった状態のまま他端部の下側を通過させるようにして異物繰出通路に入り込ませることができる。
【０２０８】
そして右向きで楔状に重なったまま異物繰出通路に入り込んだ複数の硬貨は、当該異物繰出通路の水平区間を経て傾斜区間に入った際、当該傾斜区間の傾斜によって右側の硬貨から順に自ら重なりを崩すようにして右斜め下方向へ落下する。
【０２０９】
よって受取繰出ガイド３０は、右向きで楔状に重なっている複数の硬貨を、ほぼそのままの状態で異物繰出通路に入り込ませても、当該異物繰出通路内で、その重なりを崩して詰まらせないようにすることができる。
【０２１０】
さらに受取繰出ガイド３０のガイド他端部は、下壁部３０Ｄの外面に例えば、円形の孔部３０ＤＸ、３０ＤＹが、前方向に添って所定の間隔で穿設されている。
【０２１１】
そして受取繰出ガイド３０のガイド他端部は、下壁部３０Ｄの外面に、一対の発光素子３５及び受光素子３６を有するセンサ３７が、当該発光素子３５の発光面と受光素子３６の受光面とを孔部３０ＤＸ、３０ＤＹに対向させて取り付けられている。
【０２１２】
また受取繰出ガイド３０のガイド他端部は、上壁部３０Ｅの外面に長方形状の孔部３０ＥＸが、その長手方向を前方向と平行にして当該孔部３０ＥＸの一端側を下壁部３０Ｄの一方の孔部３０ＤＸと対向させ、かつ孔部３０ＥＸの他端側を他方の孔部３０ＤＹと対向させるようにして穿設されている。
【０２１３】
そして受取繰出ガイド３０のガイド他端部には、略台形平板状のプリズム３８が例えば、下面の一端部を下壁部３０Ｄの一方の孔部３０ＤＸと対向させると共に、当該下面の他端部を他方の孔部３０ＤＹと対向させて、上壁部３０Ｅの孔部３０ＥＸに下面部分を異物繰出通路内へは突出させないように僅かに差し込んで取り付けられている。
【０２１４】
ここで、センサ３７に設けられた発光素子３５は、発光面の中心から垂直に伸びる仮想の光軸を例えば、孔部３０ＤＸの中心を通して右斜め上方向と平行にしている。
【０２１５】
またセンサ３７に設けられた受光素子３６は、受光面の中心から垂直に伸びる仮想の光軸を例えば、孔部３０ＤＹの中心を通して右斜め上方向と平行にしている。
【０２１６】
さらにプリズム３８は、発光素子３５の光軸が下面の一端部を通って一方の斜面と交差し、受光素子３６の光軸が下面の他端部を通って他方の斜面と交差するように、当該一方及び他方の斜面の間隔が選定されている。
【０２１７】
さらにまたプリズム３８は、発光素子３５の光軸に添って到来する光が下面の一端部から入射して一方の斜面に到達した場合、その光を一方の斜面の内側で後方向に発射させた後、他方の斜面の内側で左斜め下方向に折り返すように反射させて受光素子３６の光軸に添って進むように、下面に対する一方及び他方の斜面の角度が適宜選定されている。
【０２１８】
これによりセンサ３７の発光素子３５は、制御部１０の制御のもとに動作して発光面から発射光を右斜め上に向けて発射させるものの、その発射光をプリズム３８に下面の一端部から入射させる。
【０２１９】
そしてプリズム３８は、下面の一端部から入射した発射光を、一方の斜面の内側で後方向に反射させ、得られた反射光を引き続き他方の斜面の内側で左斜め下方向に折り返すように反射させて下面の他端部から出射させる。
【０２２０】
よってセンサ３７の受光素子３６は、プリズム３８の下面の他端部から出射された反射光を受光面で受光することができる。
【０２２１】
ただし、センサ３７は、発光素子３５及び受光素子３６の光軸を、前方向に添って所定の間隔を空けて平行にし、かつ右斜め上方向とも平行にして異物繰出通路を横切らせている。
【０２２２】
このため、センサ３７の受光素子３６は、異物繰出通路を異物が通過していない場合、発光素子３５の発光面から発射された発射光を、プリズム３８を介して反射光として受光面で受光することができる。
【０２２３】
しかしながら、センサ３７の受光素子３６は、異物繰出通路を硬貨のような異物が通過して発射光や反射光が遮られた場合、発光素子３５の発光面から発射された発射光を反射光として受光面で受光することはできない。
【０２２４】
よってセンサ３７の受光素子３６は、発光素子３５の発光面から発射された発射光を反射光として受光面で受光している間は、異物繰出通路を異物が通過していないことを示すように例えば、信号レベルを論理「Ｌ」レベルに立ち下げ、当該反射光を受光面で受光していない間は、異物繰出通路を異物が通過したことを示すように例えば、信号レベルを論理「Ｈ」レベルに立ち上げる異物通過有無信号を制御部１０に送出する。
【０２２５】
これにより制御部１０は、センサ３７の受光素子３６から与えられる異物通過有無信号の信号レベルに基づき、異物繰出通路における異物の通過の有無、すなわち、異物受取繰出部２５からの異物の繰り出しの有無を検出することができる。
【０２２６】
ここで、図８を用いて受取繰出ガイド３０の下壁部３０Ｄに対するセンサ３７の発光素子３５及び受光素子３６の配置位置について説明する。
【０２２７】
まず、受取繰出ガイド３０のガイド他端部において前壁部３０Ａの内面から発光素子３５の発光面の最も後寄りの縁までの距離をＬ２０とし、当該発光面の最も前寄りの縁から受光素子３６の受光面の最も後寄りの縁までの距離をＬ２１とし、その受光面の最も前寄りの縁から後壁部３０Ｂの内面までの距離をＬ２２とする。
【０２２８】
そして受取繰出ガイド３０では、例えば、現金自動預払機１で取扱可能な複数種類の硬貨のうち最も小さい（すなわち、一面の直径が最も短い）硬貨（以下、これを特に最小硬
貨とも呼ぶ）の直径をＬ２３とすると、（５）式
【０２２９】
Ｌ２０＜Ｌ２３                                              ……（５）
【０２３０】
及び、（６）式
【０２３１】
Ｌ２１＜Ｌ２３                                              ……（６）
【０２３２】
並びに、（７）式
【０２３３】
Ｌ２２＜Ｌ２３                                              ……（７）
【０２３４】
で表されるように、異物繰出通路を最小硬貨がどのような軌跡で通過しても、発射光及び反射光の少なくとも一方を遮ってセンサ３７により当該最小硬貨の通過を検知可能なように、異物繰出通路の幅（すなわち、前方向に沿った長さ）と共に発光素子３５及び受光素子３６の配置位置が選定されている。
【０２３５】
因みに、現金自動預払機１で取扱可能な複数種類の硬貨の中の最小硬貨は、その現金自動預払機１が日本で使用される場合、１円硬貨となり、直径は２０［ｍｍ］である。
【０２３６】
このように異物受取繰出部２５では、発光素子３５及び受光素子３６の配置位置が、紙幣収容部２２に誤って投入される異物としての例えば、硬貨の大きさを基準にして選定されている。
【０２３７】
これにより制御部１０は、センサ３７の受光素子３６から与えられる異物通過有無信号に基づき、異物受取繰出部２５からの異物の繰り出しの有無、特に異物としての硬貨の繰り出しの有無を的確に検出することができる。
【０２３８】
なお、異物受取繰出部２５では、（５）式乃至（７）式で表される異物繰出通路の幅の選定条件を満たしたうえで、当該異物繰出通路の幅（また、受取繰出ガイド３０の幅）が極力広く選定されている。
【０２３９】
これにより異物受取繰出部２５は、上述した異物の繰出量の制限のみならず、異物繰出通路の幅によっても異物を極力詰まらせないで繰り出すことができるようにしている。
【０２４０】
また、異物受取繰出部２５は、このようにして選定された異物繰出通路の幅をもとに受取繰出ガイド３０全体の幅が選定されると共に、搬送ベルト２８の幅もベルト用開口部３０Ｙに収まる範囲内で極力広くなるように（すなわち、上述のように紙幣収容部２２の収容部下端の開口短手方向の長さとほぼ等しくなるように）選定されている。
【０２４１】
これにより異物受取繰出部２５は、紙幣収容部２２の収容部下端から落下する硬貨のような異物を、搬送ベルト２８の上側平坦部２８Ａで極力散在させるようにして受け取ることができるようにしている。
【０２４２】
すなわち、異物受取繰出部２５は、紙幣収容部２２の収容部下端から落下する硬貨のような異物を、搬送ベルト２８の上側平坦部２８Ａで極力重ならないようにして受け取り、また受け取る際に重なる場合でも、その重なりの高さを極力低くして、その後の搬送の際に重なりを崩し易くすることができる。
【０２４３】
そして異物排出部１１は、上述の異物搬送路２１の搬送路一端が、収納部２０の右側壁２０Ｂ付近で、受取繰出ガイド３０のガイド他端に接続されている。
【０２４４】
ここで、異物搬送路２１は、搬送路一端部（すなわち、搬送路一端寄りの所定部分）が受取繰出ガイド３０のガイド他端部を右斜め下方向に延長させるように形成されている。
【０２４５】
また異物搬送路２１は、搬送路一端部に対し中央部が一旦は下方向に伸ばしたように屈曲された後、前斜め下方向に伸ばしたように屈曲され、当該中央部に対し搬送路他端部（すなわち、搬送路他端寄りの所定部分）が返却口９を前に向けるように屈曲されている。
【０２４６】
これにより異物搬送路２１は、受取繰出ガイド３０の異物繰出口３０Ｚから繰り出された異物を搬送路一端の開口部（以下、これを異物受取口とも呼ぶ）２１Ａを介して内部に取り込んで右斜め下方向に滑らせ後、真下に落下させ、さらに前斜め下方向に滑らせて返却口９まで搬送する。
【０２４７】
そして異物搬送路２１は、搬送路他端に扉３９が当該搬送路他端の上縁に設けられた左方向と平行な回動軸（図示せず）を中心にして一面を預払機筐体２の前面２Ａと平行にして返却口９を閉塞し、また当該一面を搬送路他端部内に入り込ませて返却口９を開放するように開閉可能に取り付けられている。
【０２４８】
これにより異物搬送路２１は、内部を通して搬送した硬貨のような異物が返却口９から飛び出すことを防止して搬送路他端部内に溜めたうえで、扉３９を押し開けさせて返却口９から、その異物を取り出させることができる。
【０２４９】
（１−４）異物排出処理
次いで、現金自動預払機１において紙幣の入金時、紙幣投入取出部６（すなわち、紙幣収容部２２）に誤って異物が投入された場合に、上述の制御部１０が異物排出部１１を制御して現金自動預払機１内から、その異物を排出する異物排出処理について説明する。
【０２５０】
まず、制御部１０は、異物排出処理時、異物受取繰出部２５において左側プーリ２６及び右側プーリ２７と共に搬送ベルト２８を、異物の繰出用に３種類の第１乃至第３駆動方式で駆動するため、その駆動について説明する。
【０２５１】
図９に示すように、制御部１０は、第１駆動方式では、ベルト駆動部２９のモータを、当該モータの出力軸を例えば、正回転させるように動作させて（すなわち、制御して）左側プーリ２６及び右側プーリ２７と共に搬送ベルト２８を一回転方向へ回転させる。
【０２５２】
これにより制御部１０は、搬送ベルト２８の上側平坦部２８Ａに載っている異物を右方向、すなわち異物を繰り出すための異物繰出通路が設けられた繰出側へ送るように搬送する（移動させる）。
【０２５３】
また制御部１０は、第２駆動方式では、ベルト駆動部２９のモータを、当該モータの出力軸を例えば、逆回転させるように動作させて左側プーリ２６及び右側プーリ２７と共に搬送ベルト２８を他回転方向へ回転させる。
【０２５４】
これにより制御部１０は、搬送ベルト２８の上側平坦部２８Ａに載っている異物を左方向、すなわち異物を繰り出すための異物繰出通路が設けられた繰出側とは逆の戻し側へ戻すように搬送する（移動させる）。
【０２５５】
さらに制御部１０は、第３駆動方式では、ベルト駆動部２９のモータを、当該モータの出力軸を順次交互に正回転及び逆回転させるように動作させて左側プーリ２６及び右側プーリ２７と共に搬送ベルト２８を一回転方向及び他回転方向へ順次交互に僅かな同一回転角度ずつ回転させる。
【０２５６】
これにより制御部１０は、搬送ベルト２８の上側平坦部２８Ａを左右に小刻みに振動させて当該上側平坦部２８Ａに載っている異物に、その振動を加える。
【０２５７】
ここで、制御部１０は、左側プーリ２６の回動軸と、右側プーリ２７の回動軸との距離（以下、これをプーリ間距離とも呼ぶ）をＬ２５とし、第１駆動方式での搬送ベルト２８の一回転方向への回転による上側平坦部２８Ａの変位量をＬ２６とすると、（８）式
【０２５８】
Ｌ２５＜Ｌ２６                                              ……（８）
【０２５９】
で表されるように、当該搬送ベルト２８を一回転方向へ回転させて、上側平坦部２８Ａを繰出側へプーリ間距離よりも長く変位させる。
【０２６０】
すなわち、制御部１０は、第１駆動方式では、例えば、上側平坦部２８Ａの左はじに載っている異物を異物繰出通路の傾斜区間まで送り出すことが可能なように、搬送ベルト２８を一回転方向へ回転させて上側平坦部２８Ａを繰出側へ変位させる。
【０２６１】
因みに、以下の説明では、第１駆動方式に応じた、異物を繰出側（すなわち、左方向）へ搬送するための搬送ベルト２８の一回転方向への回転による上側平坦部２８Ａの変位量を、異物繰出変位量とも呼ぶ。
【０２６２】
また制御部１０は、第２駆動方式での搬送ベルト２８の他回転方向への回転による上側平坦部２８Ａの戻し側への変位量をＬ２７とすると、（９）式
【０２６３】
Ｌ２５＜Ｌ２７＜Ｌ２６                                      ……（９）
【０２６４】
で表されるように、当該搬送ベルト２８を他回転方向へ回転させて、上側平坦部２８Ａを戻し側へプーリ間距離より長いものの、第１駆動方式による異物繰出変位量よりも短く変位させる。
【０２６５】
すなわち、制御部１０は、第２駆動方式では、上側平坦部２８Ａにおいて圧縮コイルばね３１よりも右側に載っている異物を当該圧縮コイルばね３１よりも左側へ移動させるように、搬送ベルト２８を他回転方向へ回転させて上側平坦部２８Ａを戻し側へ変位させる。
【０２６６】
因みに、以下の説明では、第２駆動方式に応じた、異物を戻し側へ搬送するための搬送ベルト２８の他回転方向への回転による上側平坦部２８Ａの変位量を、異物戻し変位量とも呼ぶ。
【０２６７】
さらに制御部１０は、第３駆動方式では、搬送ベルト２８の一回転方向及び他回転方向への回転による繰出側及び戻し側への上側平坦部２８Ａの変位量を等しくしている。
【０２６８】
すなわち、制御部１０は、第３駆動方式では、例えば、搬送ベルト２８を一回転方向及び他回転方向への回転によって例えば、右方向へ所定の変位量だけ変位させると、引き続き左方向へ元に戻すように同一の変位量だけ変位させ、このような変位を繰り返すようにしている。
【０２６９】
そして制御部１０は、このような第３駆動方式での搬送ベルト２８の一回転方向及び他回転方向への回転による上側平坦部２８Ａの変位量をＬ２８とすると、（１０）式
【０２７０】
Ｌ２５≫Ｌ２８                                            ……（１０）
【０２７１】
で表されるように、当該搬送ベルト２８を一回転方向及び他回転方向へ順次交互に回転させて、上側平坦部２８Ａを左右にそれぞれ例えば４回程度、プーリ間距離よりも格段的に短く変位させる。
【０２７２】
すなわち、制御部１０は、第３駆動方式では、上述のように上側平坦部２８Ａに載っている異物を左右に小刻みに振動させるように、搬送ベルト２８を一回転方向及び他回転方向へ順次交互に同一の回転角度だけ回転させて、上側平坦部２８Ａを左右に交互に変位させて小刻みに振動させる。
【０２７３】
因みに、以下の説明では、第３駆動方式に応じた、異物に振動を加えるための搬送ベルト２８の一回転方向及び他回転方向への回転による上側平坦部２８Ａの変位量（すなわち、繰出側や戻し側への１回の変位の変位量）を、振動変位量とも呼ぶ。
【０２７４】
ただし、制御部１０は、第１乃至第３駆動方式でベルト駆動部２９のモータを動作させた際、左側プーリ２６及び右側プーリ２７と共に搬送ベルト２８を一回転方向や他回転方向へ所定の一定速度で回転させている。
【０２７５】
よって制御部１０は、第１乃至第３駆動方式では、実際にはベルト駆動部２９のモータに対する出力軸の回転方向と共に動作時間を制御している。
【０２７６】
すなわち、現金自動預払機１では、第１駆動方式によるモータの動作時間をＴ１とし、第２駆動方式によるモータの動作時間をＴ２とすると、上述の（９）式に示す搬送ベルト２８の上側平坦部２８Ａの変位条件をもとに、（１１）式
【０２７７】
Ｔ１＞Ｔ２                                                ……（１１）
【０２７８】
で表されるように、第１駆動方式によるモータの動作時間が第２駆動方式によるモータの動作時間よりも長く設定されている。
【０２７９】
因みに、以下の説明では、第１駆動方式に応じたベルト駆動部２９のモータの動作時間を、異物繰出用動作時間とも呼び、第２駆動方式に応じたベルト駆動部２９のモータの動作時間を、異物戻し用動作時間とも呼ぶ。
【０２８０】
また現金自動預払機１では、上述の（１０）式に示す搬送ベルト２８の上側平坦部２８Ａの変位条件をもとに、第３駆動方式によるモータの１回の動作時間（すなわち、制御部１０が搬送ベルト２８を一回転方向及び他回転方向の何れか一方へ回転させるようにモータを動作させるときの動作時間）をＴ３とすると、（１２）式
【０２８１】
Ｔ２≫Ｔ３                                                ……（１２）
【０２８２】
で表されるように、第３駆動方式によるモータの１回の動作時間が第２駆動方式によるモータの動作時間よりも格段的に短く設定されている。
【０２８３】
因みに、以下の説明では、第３駆動方式に応じたベルト駆動部２９のモータの１回の動作時間を、振動用動作時間とも呼ぶ。
【０２８４】
そして制御部１０は、異物排出処理時、係る設定に応じてベルト駆動部２９のモータを動作させることで、左側プーリ２６及び右側プーリ２７と共に搬送ベルト２８を第１乃至第３駆動方式を組み合わせて駆動している。
【０２８５】
ここで、制御部１０が実行する異物排出処理を、紙幣の入金時、紙幣投入取出部６に入金用の１又は複数の紙幣と共に、誤って異物としての複数の硬貨が投入された場合を例にして具体的に説明する。
【０２８６】
図１０に示すように、制御部１０は、紙幣ＢＬ２の入金時、シャッタ駆動部２４を制御してシャッタ２３を後方向の開放位置まで移動させて（すなわち、シャッタ２３を開けて）、収納部２０の紙幣入出金口２０ＡＸ及び紙幣収容部２２の上側開口部２２Ａを共に開放する。
【０２８７】
この状態で異物排出部１１は、紙幣収容部２２に１又は複数の紙幣ＢＬ２と共に、誤って複数の硬貨ＣＩが投入されると、１又は複数の紙幣ＢＬ２については、紙幣収容部２２の紙幣支持部２２Ｂ、２２Ｃによって支持するようにして当該紙幣収容部２２内に留める。
【０２８８】
これにより異物排出部１１は、１又は複数の紙幣ＢＬ２については、この後の紙幣収容部２２から搬送路１８への入金用の繰り出しを可能にしている。
【０２８９】
また図１１に示すように、異物排出部１１は、この際、複数の硬貨ＣＩについては、紙幣収容部２２の異物落下用穴２２Ｄ乃至２２Ｆに通して当該紙幣収容部２２の収容部下端から落下させる。
【０２９０】
これにより異物排出部１１は、紙幣収容部２２に投入された１又は複数の紙幣ＢＬ２から、この際に誤って投入された複数の硬貨ＣＩを、紙幣ＢＬ２の入金処理に対する異物として分離する。
【０２９１】
そして異物排出部１１は、紙幣収容部２２の収容部下端から落下した複数の硬貨ＣＩを、異物受取繰出部２５において受取繰出ガイド３０の異物取込口３０Ｘから異物落下通路に通して搬送ベルト２８の上側平坦部２８Ａに載せるようにして受け取る。
【０２９２】
この際、図１２に示すように、制御部１０は、第１駆動方式に応じてベルト駆動部２９（すなわち、モータの出力軸の回転と共に複数のギヤの回転等）を制御して、左側プーリ２６及び右側プーリ２７と共に搬送ベルト２８を一回転方向に回転させる。よって制御部１０は、この際、搬送ベルト２８の上側平坦部２８Ａを繰出側へ異物繰出変位量だけ変位させる。
【０２９３】
これにより制御部１０は、例えば、搬送ベルト２８の上側平坦部２８Ａに複数の硬貨ＣＩがそれぞれ他の硬貨ＣＩに重ならずに水平姿勢で載っていると、圧縮コイルばね３１よりも右側に存在する硬貨ＣＩについては、そのまま異物繰出通路に送り出し異物搬送路２１を介して返却口９まで搬送する。
【０２９４】
また制御部１０は、この際、圧縮コイルばね３１よりも左側に存在する硬貨ＣＩについては、当該圧縮コイルばね３１の下を通した後、異物繰出通路に送り出し異物搬送路２１を介して返却口９まで搬送する。
【０２９５】
さらに、制御部１０は、例えば、搬送ベルト２８の上側平坦部２８Ａにおいて圧縮コイルばね３１よりも右側に複数の硬貨ＣＩが積層状に重なって載り、又は左向きで楔状に重なって載っていると、これら複数の硬貨ＣＩを繰出量制限部３２によって、その重なりを適宜崩して異物繰出通路に送り出し異物搬送路２１を介して返却口９まで搬送する。
【０２９６】
因みに、制御部１０は、例えば、搬送ベルト２８の上側平坦部２８Ａにおいて圧縮コイルばね３１よりも右側に複数の硬貨ＣＩが右向きで楔状に重なって載っていても、その重なりの高さが異物繰出通路の水平区間の高さ以下であると、これら複数の硬貨ＣＩを異物繰出通路に送り出し異物搬送路２１を介して返却口９まで搬送する。
【０２９７】
さらにまた制御部１０は、搬送ベルト２８の上側平坦部２８Ａにおいて圧縮コイルばね３１よりも左側に複数の硬貨ＣＩが積層状に重なって載り、又は左向きや右向きで楔状に重なって載っていると、これら複数の硬貨ＣＩを圧縮コイルばね３１より、その重なりを適宜崩して異物繰出通路に送り出し異物搬送路２１を介して返却口９まで搬送する。
【０２９８】
ただし、制御部１０は、例えば、搬送ベルト２８の上側平坦部２８Ａにおいて圧縮コイルばね３１よりも右側に複数の硬貨ＣＩが右向きで楔状に重なって載っているものの、その重なりの高さが異物繰出通路の水平区間の高さよりも高いと、これら複数の硬貨ＣＩが異物繰出通路の入口に引っ掛かって繰り出せない場合がある。
【０２９９】
このため図１３に示すように、制御部１０は、搬送ベルト２８を一回転方向に回転させて上側平坦部２８Ａを繰出側へ異物繰出変位量だけ変位させると、引き続き第２駆動方式に応じてベルト駆動部２９を制御して、左側プーリ２６及び右側プーリ２７と共に搬送ベルト２８を他回転方向に回転させるようにしている。よって制御部１０は、この際、搬送ベルト２８の上側平坦部２８Ａを戻し側へ異物戻し変位量だけ変位させる。
【０３００】
これにより制御部１０は、例えば、搬送ベルト２８の上側平坦部２８Ａにおいて圧縮コイルばね３１よりも右側に複数の硬貨ＣＩが右向きで、異物繰出通路の水平区間の高さよりも高く楔状に重なって載っていても、これら複数の硬貨ＣＩを左方向へ搬送しながら圧縮コイルばね３１によって、その重なりを崩すことができる。
【０３０１】
ところで、図１４（Ａ）に示すように、搬送ベルト２８の上側平坦部２８Ａには、圧縮コイルばね３１よりも左側全体に亘り複数の硬貨ＣＩが幾つもの積層状の重なりとして載り、当該圧縮コイルばね３１よりも右側に、複数の硬貨ＣＩが右向きの楔状の重なりとして載る場合がある。
【０３０２】
このような場合、制御部１０は、搬送ベルト２８の上側平坦部２８Ａを異物戻し変位量だけ変位させただけでは、圧縮コイルばね３１の右側に存在する複数の硬貨ＣＩの左方向への移動が、圧縮コイルばね３１の左側に存在する複数の硬貨ＣＩによって遮られ、当該右側の複数の硬貨ＣＩの重なりを圧縮コイルばね３１によっては崩すことができないことがある。
【０３０３】
このため制御部１０は、このように搬送ベルト２８を他回転方向に回転させて上側平坦部２８Ａを戻し側へ異物戻し変位量だけ変位させると、引き続き第３駆動方式に応じてベルト駆動部２９を制御して、左側プーリ２６及び右側プーリ２７と共に搬送ベルト２８を一回転方向及び他回転方向に順次交互に回転させるようにしている。
【０３０４】
よって制御部１０は、この際、搬送ベルト２８の上側平坦部２８Ａを繰出側及び戻し側へ振動変位量ずつ変位させる（すなわち、左右に小刻みに振動させる）。
【０３０５】
これにより制御部１０は、このような場合、搬送ベルト２８の上側平坦部２８Ａの振動を、圧縮コイルばね３１の右側に存在する複数の硬貨ＣＩに加えて、その振動によって当該複数の硬貨ＣＩの右向きの楔状の重なりを崩すことができる。
【０３０６】
そして図１４（Ｂ）及び図１５に示すように、制御部１０は、搬送ベルト２８の上側平坦部２８Ａを左右に振動させると、引き続き第１駆動方式に応じて上述と同様に当該搬送ベルト２８を一回転方向に回転させて上側平坦部２８Ａを繰出側へ異物繰出変位量だけ変位させる。
【０３０７】
これにより制御部１０は、例えば、搬送ベルト２８の上側平坦部２８Ａ上で重なりを崩した複数の硬貨ＣＩを異物繰出通路に送り出し異物搬送路２１を介して返却口９まで搬送する。
【０３０８】
このようにして制御部１０は、異物繰出通路内の硬貨の通過の有無を監視しながら、第１駆動方式乃至第３駆動方式による一連の搬送ベルト２８の駆動を繰り返し実行する。
【０３０９】
これにより制御部１０は、この際、紙幣収容部２２に誤って投入された複数の硬貨ＣＩを全て異物繰出通路に送り出し異物搬送路２１を介して返却口９まで搬送し、かくして顧客に返却することができる。
【０３１０】
ここで、図１６（Ａ）乃至（Ｄ）及び図１７（Ａ）乃至（Ｄ）に示すタイミングチャートを用いて、制御部１０が実行する異物排出処理手順について説明する。
【０３１１】
制御部１０は、顧客により所望の取り引きとして紙幣の入金が選択されると、その入金が選択された時点ｔ１に、異物排出部１１を制御して例えば、図１６（Ａ）乃至（Ｄ）に示す異物排出処理手順を開始する。
【０３１２】
そして制御部１０は、その時点ｔ１に、シャッタ駆動部２４のモータに対し、当該モータの出力軸を例えば、正回転させるためのモータ正回転信号Ｓ１を送出する（図１６（Ａ））。
【０３１３】
これにより制御部１０は、モータ正回転信号Ｓ１に基づきシャッタ駆動部２４を制御してシャッタ２３を開放位置まで移動させて開くことにより、収納部２０の紙幣入出金口２０ＡＸ及び紙幣収容部２２の上側開口部２２Ａを共に開放して、当該シャッタ２３を開いたままにする。
【０３１４】
また制御部１０は、その時点ｔ１にセンサ３７の発光素子３５に対し、発射光を発射させるための発光信号Ｓ２を送出し始める（図１６（Ｂ））。
【０３１５】
これにより制御部１０は、発光信号Ｓ２に基づき発光素子３５に発射光を発射させて、当該発光素子３５に対し発射光を継続して発射させるようにする。
【０３１６】
さらに制御部１０は、その時点ｔ１に、センサ３７の受光素子３６を動作させて、当該受光素子３６から送出される異物通過有無信号Ｓ３を取り込み始める（図１６（Ｃ））。
【０３１７】
さらに制御部１０は、その時点ｔ１にベルト駆動部２９のモータに対し、当該モータの出力軸を正回転させるためのモータ正回転信号Ｓ４を送出し始める。
【０３１８】
そして制御部１０は、ベルト駆動部２９のモータにモータ正回転信号Ｓ４を、時点ｔ１から異物繰出用動作時間Ｔ１に到達する時点ｔ２までの間、送出し続ける（図１６（Ｄ））。
【０３１９】
これにより制御部１０は、時点ｔ１から時点ｔ２までの間（すなわち、異物繰出用動作時間Ｔ１）、モータ正回転信号Ｓ４に基づきベルト駆動部２９を制御して左側プーリ２６及び右側プーリ２７と共に搬送ベルト２８を一回転方向へ回転させる。
【０３２０】
よって制御部１０は、時点ｔ１から時点ｔ２までの間、搬送ベルト２８の上側平坦部２８Ａを、繰出側（すなわち、右方向）へ異物繰出変位量だけ変位させる。
【０３２１】
因みに、以下の説明では、搬送ベルト２８の上側平坦部２８Ａに対する繰出側への異物繰出変位量の変位を、適宜、硬貨ＣＩの繰出用の変位とも呼ぶ。
【０３２２】
従って制御部１０は、この際、搬送ベルト２８の上側平坦部２８Ａに複数の硬貨ＣＩが載っていると、これら複数の硬貨ＣＩを、圧縮コイルばね３１及び繰出量制限部３２により適宜その重なりを崩すようにして繰出側へ送り出すことができる。
【０３２３】
また制御部１０は、時点ｔ２にベルト駆動部２９のモータに対するモータ正回転信号Ｓ４の送出を停止して左側プーリ２６及び右側プーリ２７と共に搬送ベルト２８の一回転方向への回転を停止させると、そのすぐ後の時点ｔ３にベルト駆動部２９のモータに、当該モータの出力軸を逆回転させるためのモータ逆回転信号Ｓ５を送出し始める。
【０３２４】
そして制御部１０は、ベルト駆動部２９のモータにモータ逆回転信号Ｓ５を、時点ｔ３から異物戻し用動作時間Ｔ２に到達する時点ｔ４までの間、送出し続ける（図１６（Ｄ））。
【０３２５】
これにより制御部１０は、時点ｔ３から時点ｔ４までの間（すなわち、異物戻し用動作時間Ｔ２）、モータ逆回転信号Ｓ５に基づきベルト駆動部２９を制御して左側プーリ２６及び右側プーリ２７と共に搬送ベルト２８を他回転方向へ回転させる。
【０３２６】
よって制御部１０は、時点ｔ３から時点ｔ４までの間、搬送ベルト２８の上側平坦部２８Ａを戻し側（すなわち、左方向）へ異物戻し変位量だけ変位させる。
【０３２７】
因みに、以下の説明では、搬送ベルト２８の上側平坦部２８Ａに対する戻し側への異物戻し変位量の変位を、適宜、硬貨ＣＩの戻し用の変位とも呼ぶ。
【０３２８】
従って制御部１０は、この際、搬送ベルト２８の上側平坦部２８Ａに複数の硬貨ＣＩが載っていると、これら複数の硬貨ＣＩを戻し側へ戻すようにして、圧縮コイルばね３１により複数の硬貨ＣＩの重なりを適宜崩すことができる。
【０３２９】
さらに制御部１０は、時点ｔ４にベルト駆動部２９のモータに対するモータ逆回転信号Ｓ５の送出を停止して左側プーリ２６及び右側プーリ２７と共に搬送ベルト２８の他回転方向への回転を停止させると、そのすぐ後の時点ｔ５から時点ｔ６までの間、ベルト駆動部２９のモータに、モータ正回転信号Ｓ４とモータ逆回転信号Ｓ５とを順次交互に振動用動作時間Ｔ３ずつ所定回数（例えば、合計で８回）送出する（図１６（Ｄ））。
【０３３０】
これにより制御部１０は、時点ｔ５から時点ｔ６までの間、モータ正回転信号Ｓ４及びモータ逆回転信号Ｓ５に基づきベルト駆動部２９を制御して左側プーリ２６及び右側プーリ２７と共に搬送ベルト２８を一回転方向及び他回転方向へ順次交互に回転させる。
【０３３１】
よって制御部１０は、時点ｔ５から時点ｔ６までの間、搬送ベルト２８の上側平坦部２８Ａを、繰出側及び戻し側（すなわち、右方向及び左方向）へ順次交互に振動変位量ずつ変位させるようにして小刻みに振動させる。
【０３３２】
因みに、以下の説明では、搬送ベルト２８の上側平坦部２８Ａに対する繰出側及び戻し側への振動変位量ずつの順次交互の変位を、適宜、硬貨ＣＩの振動用の変位とも呼ぶ。
【０３３３】
従って制御部１０は、この際、搬送ベルト２８の上側平坦部２８Ａに複数の硬貨ＣＩが重なって載っていると、これら複数の硬貨ＣＩに搬送ベルト２８の振動を加えて、その重なり崩すことができる。
【０３３４】
このようにして制御部１０は、時点ｔ１から時点ｔ６までのような、搬送ベルト２８の上側平坦部２８Ａに対する一連の繰出側へ異物繰出変位量だけ変位させるためのベルト駆動部２９の制御と、戻し側へ異物戻し変位量だけ変位させるためのベルト駆動部２９の制御と、繰出側及び戻し側へ振動変位量ずつ複数回変位させるためのベルト駆動部２９の制御とを１サイクルとして、その１サイクルのベルト駆動部２９の制御を適宜繰り返すように搬送ベルト２８を駆動する。
【０３３５】
すなわち、センサ３７の受光素子３６は、例えば、時点ｔ１から時点ｔ２までの間に、搬送ベルト２８により複数の硬貨ＣＩの少なくとも１枚以上が左方向に搬送され異物繰出通路を通過すると、その通過により反射光を受光し得ない間だけ異物通過有無信号Ｓ３の信号レベルを論理「Ｌ」レベルから論理「Ｈ」レベルに立ち上げるように変化させる。
【０３３６】
そして制御部１０は、時点ｔ１から時点ｔ２までの間に異物通過有無信号Ｓ３の信号レベルが一時的に論理「Ｌ」レベルから論理「Ｈ」レベルに立ち上がると、当該異物通過有無信号Ｓ３の信号レベルの変化に基づき、異物受取繰出部２５から硬貨ＣＩが繰り出されたことを検出する（図１６（Ｃ））。
【０３３７】
制御部１０は、このように時点ｔ１から時点ｔ２までの間に異物受取繰出部２５から硬貨ＣＩが繰り出されたことを検出していると、搬送ベルト２８の上側平坦部２８Ａに対する左右の振動を停止させた時点ｔ６のすぐ後の時点ｔ７にベルト駆動部２９のモータに対しモータ正回転信号Ｓ４を送出し始める。
【０３３８】
そして制御部１０は、ベルト駆動部２９のモータにモータ正回転信号Ｓ４を、時点ｔ７から異物繰出用動作時間Ｔ１に到達する時点ｔ８までの間、送出し続ける（図１６（Ｄ））。
【０３３９】
これにより制御部１０は、時点ｔ７から時点ｔ８までの間、モータ正回転信号Ｓ４に基づきベルト駆動部２９を制御して左側プーリ２６及び右側プーリ２７と共に搬送ベルト２８を一回転方向へ回転させて、当該搬送ベルト２８の上側平坦部２８Ａを再び繰出側へ異物繰出変位量だけ変位させる。
【０３４０】
また制御部１０は、時点ｔ８にベルト駆動部２９のモータに対するモータ正回転信号Ｓ４の送出を停止して左側プーリ２６及び右側プーリ２７と共に搬送ベルト２８の一回転方向への回転を停止させると、そのすぐ後の時点ｔ９にベルト駆動部２９のモータに対しモータ逆回転信号Ｓ５を送出し始める。
【０３４１】
そして制御部１０は、ベルト駆動部２９のモータにモータ逆回転信号Ｓ５を、時点ｔ９から異物戻し用動作時間Ｔ２に到達する時点ｔ１０までの間、送出し続ける（図１６（Ｄ））。
【０３４２】
これにより制御部１０は、時点ｔ９から時点ｔ１０までの間、モータ逆回転信号Ｓ５に基づきベルト駆動部２９を制御して左側プーリ２６及び右側プーリ２７と共に搬送ベルト２８を他回転方向へ回転させて、当該搬送ベルト２８の上側平坦部２８Ａを戻し側へ異物戻し変位量だけ変位させる。
【０３４３】
さらに制御部１０は、時点ｔ１０にベルト駆動部２９のモータに対するモータ逆回転信号Ｓ５の送出を停止して左側プーリ２６及び右側プーリ２７と共に搬送ベルト２８の他回転方向への回転を停止させると、そのすぐ後の時点ｔ１１から時点ｔ１２までの間、ベルト駆動部２９のモータにモータ正回転信号Ｓ４及びモータ逆回転信号Ｓ５を順次交互に振動用動作時間Ｔ３ずつ所定回数送出する（図１６（Ｄ））。
【０３４４】
これにより制御部１０は、時点ｔ１１から時点ｔ１２までの間、モータ正回転信号Ｓ４及びモータ逆回転信号Ｓ５に基づきベルト駆動部２９を制御して左側プーリ２６及び右側プーリ２７と共に搬送ベルト２８を一回転方向及び他回転方向へ順次交互に回転させる。
【０３４５】
よって制御部１０は、この際、搬送ベルト２８の上側平坦部２８Ａを繰出側及び戻し側へ順次交互に振動変位量ずつ変位させて小刻みに振動させる。
【０３４６】
このようにして制御部１０は、時点ｔ７から時点ｔ１２に亘り、上述した時点ｔ１から時点ｔ６までと同様にベルト駆動部２９を制御して、搬送ベルト２８の上側平坦部２８Ａを再び硬貨ＣＩの繰出用及び戻し用並びに振動用に変位させる。
【０３４７】
ただし、センサ３７の受光素子３６は、例えば、時点ｔ７から時点ｔ８までの搬送ベルト２８の上側平坦部２８Ａに対する２回目の異物繰出変位量の変位で異物繰出通路を１枚の硬貨ＣＩも通過していないと、異物通過有無信号Ｓ３の信号レベルを論理「Ｌ」レベルに立ち下げたまま変化させない。
【０３４８】
よって制御部１０は、時点ｔ７から時点ｔ８までの間に異物通過有無信号Ｓ３の信号レベルが論理「Ｌ」レベルのまま変化しないと、その異物通過有無信号Ｓ３の信号レベルに基づき、異物受取繰出部２５から硬貨ＣＩが１枚も繰り出されていないことを検出する（図１６（Ｃ））。
【０３４９】
そして制御部１０は、時点ｔ７から時点ｔ８までの間に異物受取繰出部２５から硬貨ＣＩが１枚も繰り出されていないことを検出していると、異物受取繰出部２５からの全ての硬貨ＣＩの繰り出しが完了した可能性があるため、時点ｔ１３に異物受取繰出部２５から異物搬送路２１への全ての硬貨ＣＩの繰り出しが完了したか否かの確認用に搬送ベルト２８を駆動し始める。
【０３５０】
すなわち、制御部１０は、搬送ベルト２８の上側平坦部２８Ａに対する２回目の左右の振動を停止させた時点ｔ１２のすぐ後の時点ｔ１３にベルト駆動部２９のモータにモータ正回転信号Ｓ４を送出し始める。
【０３５１】
そして制御部１０は、ベルト駆動部２９のモータにモータ正回転信号Ｓ４を、時点ｔ１３から異物繰出用動作時間Ｔ１に到達する時点ｔ１４までの間、送出し続ける（図１６（Ｄ））。
【０３５２】
これにより制御部１０は、時点ｔ１３から時点ｔ１４までの間、モータ正回転信号Ｓ４に基づきベルト駆動部２９を制御して左側プーリ２６及び右側プーリ２７と共に搬送ベルト２８を一回転方向へ回転させて、当該搬送ベルト２８の上側平坦部２８Ａを繰出側へ異物繰出変位量だけ変位させる。
【０３５３】
そして制御部１０は、時点ｔ１３から時点ｔ１４に亘り搬送ベルト２８の上側平坦部２８Ａを繰出側へ異物繰出変位量だけ変位させても、その間に異物通過有無信号Ｓ３の信号レベルが論理「Ｌ」レベルのまま変化しないと、その時点ｔ１４において、異物繰出通路からの硬貨ＣＩの繰り出しが完了していると判別する。
【０３５４】
このようにして制御部１０は、時点ｔ１４に異物繰出通路からの硬貨ＣＩの繰り出しの完了を確認すると、その時点ｔ１４にシャッタ駆動部２４のモータに対し、当該モータの出力軸を例えば、逆回転させるためのモータ逆回転信号Ｓ６を送出する（図１６（Ａ））。
【０３５５】
これにより制御部１０は、モータ逆回転信号Ｓ６に基づきシャッタ駆動部２４を制御してシャッタ２３を閉塞位置まで移動させて閉じることにより、収納部２０の紙幣入出金口２０ＡＸ及び紙幣収容部２２の上側開口部２２Ａを共に閉塞して、当該シャッタ２３を閉じたままにする。
【０３５６】
また制御部１０は、例えば、その時点ｔ１４にセンサ３７の発光素子３５に対する発光信号Ｓ２の送出を停止して（図１６（Ｂ））、当該発光素子３５に発射光の発射を停止させる。
【０３５７】
さらに制御部１０は、例えば、その時点ｔ１４に、センサ３７において受光素子３６の動作も停止（すなわち、異物通過有無信号Ｓ３の送出を停止）させる（図１６（Ｃ））。
【０３５８】
そして制御部１０は、このようにしてシャッタ２３を閉じると、図１６（Ａ）乃至（Ｄ）に示す異物排出処理手順を終了する。
【０３５９】
ところで、制御部１０は、顧客により新たに入金が選択された時点ｔ２０に、異物排出部１１を制御して例えば、図１７（Ａ）乃至（Ｄ）に示す異物排出処理手順を開始すると、その時点ｔ２０に、上述と同様にシャッタ２３を駆動して開くと共に、センサ３７の発光素子３５及び受光素子３６を動作させる（図１７（Ａ）乃至（Ｃ））。
【０３６０】
また制御部１０は、この際、時点ｔ２０から時点ｔ２１にかけて上述と同様に、ベルト駆動部２９を制御して（図１７（Ｄ））、搬送ベルト２８の上側平坦部２８Ａを硬貨ＣＩの繰出用及び戻し用並びに振動用に変位させる。
【０３６１】
そして制御部１０は、時点ｔ２０から開始した搬送ベルト２８の上側平坦部２８Ａに対する１回目の繰出側への異物繰出変位量の変位の間に、異物受取繰出部２５から硬貨ＣＩが繰り出されたことを検出すると（図１７（Ｃ））、引き続き時点ｔ２２から時点ｔ２３にかけて同様にベルト駆動部２９を制御して搬送ベルト２８の上側平坦部２８Ａを再び硬貨ＣＩの繰出用及び戻し用並びに振動用に変位させる（図１７（Ｄ））。
【０３６２】
その結果、制御部１０は、時点ｔ２２から開始した搬送ベルト２８の上側平坦部２８Ａに対する２回目の繰出側への異物繰出変位量の変位の間に、再び異物受取繰出部２５から硬貨ＣＩが繰り出されたことを検出すると（図１７（Ｃ））、引き続き上述と同様にベルト駆動部２９を制御して搬送ベルト２８の上側平坦部２８Ａを硬貨ＣＩの繰出用及び戻し用並びに振動用に変位させる（図１７（Ｄ））。
【０３６３】
このようにして制御部１０は、異物受取繰出部２５からの硬貨ＣＩの繰り出しの有無を監視しながら、搬送ベルト２８の上側平坦部２８Ａを硬貨ＣＩの繰出用及び戻し用並びに振動用に変位させ、その繰出用の変位の間に異物受取繰出部２５から硬貨ＣＩが繰り出されたことを検出していると（図１７（Ｃ））、上側平坦部２８Ａを再び硬貨ＣＩの繰出用及び戻し用並びに振動用に変位させる（図１７（Ｄ））。
【０３６４】
また制御部１０は、時点ｔ２４から開始した搬送ベルト２８の上側平坦部２８Ａに対するＮ回目の繰出側への異物繰出変位量の変位の間に、異物受取繰出部２５から硬貨ＣＩが１枚も繰り出されていないことを検出すると（図１７（Ｃ））、引き続き時点ｔ２５から上述と同様に、全ての硬貨ＣＩの繰出完了の確認用に搬送ベルト２８を駆動する。
【０３６５】
その結果、制御部１０は、その時点ｔ２５から時点ｔ２６までの搬送ベルト２８の上側平坦部２８Ａに対する繰出側への異物繰出変位量の変位の間も、異物受取繰出部２５から硬貨ＣＩが１枚も繰り出されていないことを検出すると、異物受取繰出部２５から異物搬送路２１への硬貨ＣＩの繰り出しが完了したと判別する。
【０３６６】
そして制御部１０は、このように異物受取繰出部２５から異物搬送路２１への硬貨ＣＩの繰り出しが完了したことを確認すると、その確認がとれた時点ｔ２６には上述と同様にシャッタ２３を閉じる（図１７（Ａ））。
【０３６７】
また制御部１０は、例えば、その時点ｔ２６に、上述と同様にセンサ３７において発光素子３５に発射光の発射を停止させる（図１７（Ｂ））と共に、受光素子３６の動作も停止させ（図１７（Ｃ））、図１７（Ａ）乃至（Ｄ）に示す異物排出処理手順を終了する。
【０３６８】
因みに、制御部１０は、全ての硬貨ＣＩの繰出完了の確認用に搬送ベルト２８を駆動している間（すなわち、搬送ベルト２８の上側平坦部２８Ａを繰出側へ異物繰出変位量だけ変位させている間）に、再び異物受取繰出部２５から硬貨ＣＩが繰り出されたことを検出すると、その繰出完了の確認用の搬送ベルト２８の駆動を、上側平坦部２８Ａを硬貨ＣＩの繰出用及び戻し用並びに振動用に変位させるための駆動に切り換える。
【０３６９】
すなわち、制御部１０は、搬送ベルト２８の上側平坦部２８Ａを、全ての硬貨ＣＩの繰出完了の確認用に変位させると、その変位を一連の硬貨ＣＩの繰出用及び戻し用並びに振動用の変位のうち当該繰出用の変位と見なして、引き続き残りの変位を実行するようにして戻し用に変位させた後、振動用に変位させる。
【０３７０】
そして制御部１０は、搬送ベルト２８の上側平坦部２８Ａに対する振動（すなわち、振動用の変位）が終了すると、上述と同様にベルト駆動部２９を制御して搬送ベルト２８の上側平坦部２８Ａを再び硬貨ＣＩの繰出用及び戻し用並びに振動用に変位させるようにして異物排出処理手順を継続する。
【０３７１】
このようにして制御部１０は、紙幣の入金時、紙幣投入取出部６に誤って１又は複数の硬貨ＣＩが投入されても、その硬貨ＣＩをほぼ確実に異物受取繰出部２５から異物搬送路２１へ繰り出し返却口９を介して顧客に返却することができる。
【０３７２】
制御部１０は、紙幣の入金時、異物排出処理手順を開始しても、搬送ベルト２８の上側平坦部２８Ａに対する１回目の繰出側への異物繰出変位量の変位の間に、異物受取繰出部２５から硬貨ＣＩが１枚も繰り出されていないことを検出すると、引き続き全ての硬貨ＣＩの繰出完了の確認用と同様に搬送ベルト２８を駆動する。
【０３７３】
その結果、制御部１０は、搬送ベルト２８の上側平坦部２８Ａに対する繰出完了の確認用の変位（すなわち、２回目の繰出側への異物繰出変位量の変位）の間に、異物受取繰出部２５から硬貨ＣＩが繰り出されたことを検出すると、その際の搬送ベルト２８の駆動を、上述と同様に上側平坦部２８Ａを硬貨ＣＩの繰出用及び戻し用並びに振動用に変位させるための駆動に切り換える。
【０３７４】
すなわち、制御部１０は、この場合も搬送ベルト２８の上側平坦部２８Ａを、全ての硬貨ＣＩの繰出完了の確認用に変位させると、その変位を一連の硬貨ＣＩの繰出用及び戻し用並びに振動用の変位のうち当該繰出用の変位と見なして、引き続き残りの変位を実行するようにして戻し用に変位させた後、振動用に変位させる。
【０３７５】
そして制御部１０は、搬送ベルト２８の上側平坦部２８Ａに対する振動（すなわち、振動用の変位）が終了すると、上述と同様にベルト駆動部２９を制御して搬送ベルト２８の上側平坦部２８Ａを再び硬貨ＣＩの繰出用及び戻し用並びに振動用に変位させるようにして異物排出処理手順を継続する。
【０３７６】
これに対し制御部１０は、搬送ベルト２８の上側平坦部２８Ａに対する繰出完了の確認用の変位（すなわち、２回目の繰出側への異物繰出変位量の変位）の間も、異物受取繰出部２５から硬貨ＣＩが１枚も繰り出されていないことを検出すると、このときには紙幣投入取出部６に硬貨ＣＩのような異物は誤って投入されていないと判別する。
【０３７７】
そして制御部１０は、このように紙幣投入取出部６に硬貨ＣＩのような異物は誤って投入されていないことを確認すると、その確認がとれた時点（すなわち、搬送ベルト２８の上側平坦部２８Ａに対する繰出完了の確認用の変位が終了した時点）に上述と同様にシャッタ２３を閉じる。
【０３７８】
また制御部１０は、例えば、その時点に上述と同様にセンサ３７において発光素子３５に発射光の発射を停止させると共に、受光素子３６の動作も停止させて異物排出処理手順を終了する。
【０３７９】
このようにして制御部１０は、紙幣の入金時、紙幣投入取出部６に誤って１又は複数の硬貨ＣＩが投入されたか否かを確認し、誤って硬貨ＣＩが投入されていると、その硬貨ＣＩをほぼ確実に異物受取繰出部２５から異物搬送路２１へ繰り出し返却口９を介して顧客に返却することができる。
【０３８０】
ところで、現金自動預払機１では、紙幣の入金時、紙幣投入取出部６に投入される入金用の紙幣が少ない程、紙幣投入取出部６からの紙幣の繰り出しに要する時間や、搬送路１８による紙幣の搬送に要する時間等が短くなり、その結果として入金処理に要する時間（以下、これを入金処理時間とも呼ぶ）も短くなる。
【０３８１】
また現金自動預払機１では、上述した異物排出処理手順からも明らかなように、紙幣投入取出部６に誤って投入された硬貨ＣＩのような異物が多い程、ベルト駆動部２９を１サイクル単位で制御して搬送ベルト２８を駆動するための回数が増加し、その結果として異物排出処理に要する時間（以下、これを異物排出処理時間とも呼ぶ）が長くなる。
【０３８２】
そして現金自動預払機１では、紙幣投入取出部６に投入された入金用の紙幣が比較的少ない場合の入金処理に要する入金処理時間と、当該紙幣投入取出部６に誤って投入された硬貨ＣＩのような異物が比較的多い場合の異物排出処理に要する異物排出処理時間とを比較すると、その異物排出処理時間が入金処理時間よりも長い場合がある。
【０３８３】
このため現金自動預払機１では、紙幣投入取出部６に入金用の紙幣が投入されると共に、誤って硬貨ＣＩのような異物も投入されたとき、仮に入金処理と異物排出処理とを同時に開始したとすると、異物排出処理が終了する前に入金処理が終了する可能性がある。
【０３８４】
また現金自動預払機１では、入金処理が終了した際、制御部１０がタッチスクリーン４に入金処理の終了を通知するための操作画面を表示している。
【０３８５】
よって現金自動預払機１では、仮に異物排出処理が終了する前に入金処理が終了して、制御部１０が操作画面を介して顧客に入金処理の終了を通知すると、その顧客が自身の所有物でもある硬貨ＣＩのような異物を取り忘れて立ち去る可能性があると共に、その後に他の顧客が訪れた際、その取り忘れられていた硬貨ＣＩのような異物を持ち帰る可能性もある。
【０３８６】
従って制御部１０は、紙幣の入金時、顧客により入金の取り引きが選択されると、入金処理を開始して紙幣投入取出部６のシャッタ２３を紙幣の投入用に開くものの、そのシャッタ２３を開いた時点から、誤って硬貨ＣＩのような異物が投入されていないかを確認する間や、誤って投入された硬貨ＣＩのような異物を排出するまでの間、入金処理を一時的に停止する。
【０３８７】
そして制御部１０は、異物排出処理を終了すると、それまで一時的に停止していた入金処理を再開して、その入金処理の一環として紙幣投入取出部６から入金用の紙幣を搬送路１８へ繰り出し始めている。
【０３８８】
これにより制御部１０は、紙幣の入金時、紙幣投入取出部６に入金用の紙幣が投入されると共に、誤って硬貨ＣＩのような異物も投入された際、異物排出処理が終了する前に入金処理が終了することを回避している。
【０３８９】
言い換えると、制御部１０は、紙幣の入金時、あたかも異物排出処理を実行して、その異物排出処理が終了してから入金処理を実行しているようにして、当該入金処理が異物排出処理よりも必ず後に終了するようにしている。
【０３９０】
このようにして制御部１０は、顧客が紙幣投入取出部６に誤って硬貨ＣＩのような異物を投入した場合、顧客により、その異物が取り忘れられること、また他の顧客によって持ち帰られることを防止している。
【０３９１】
また制御部１０は、紙幣の入金時、紙幣投入取出部６のシャッタ２３を紙幣の投入用に開くと、そのシャッタ２３を開いた時点から、誤って硬貨ＣＩのような異物が投入されていないかを確認する間や、誤って投入された硬貨ＣＩのような異物を排出するまでの間（すなわち、入金処理を一時的に停止している間）、当該シャッタ２３を開いたままにしている。
【０３９２】
これにより制御部１０は、そのシャッタ２３を開いたまました状態により、顧客に対し入金処理を一時的に停止していることを直感的に認識させ、シャッタ２３が閉じて入金処理が再開されることを何ら違和感なく待たせることができる。
【０３９３】
そして制御部１０は、上述した異物排出処理手順からも明らかなように、紙幣投入取出部６に誤って投入された硬貨ＣＩのような異物が多い程、ベルト駆動部２９を１サイクル単位で制御する回数が増加して（すなわち、異物受取繰出部２５からの異物の繰り出しに要する時間が長くなり）、その分、シャッタ２３を開いたままにする時間も長くなる。
【０３９４】
これにより制御部１０は、異物排出処理を実行して実際に異物受取繰出部２５から異物を繰り出している間は、その際のシャッタ２３を開いたままの時間が比較的長いことにより、顧客に対し紙幣投入取出部６に誤って硬貨ＣＩのような異物が投入されたことで入金処理が一時的に停止していることを直感的に認識させることができる。
【０３９５】
よって制御部１０は、顧客により紙幣投入取出部６に誤って硬貨ＣＩのような異物が投入された場合、当該顧客に、その異物を返却口９からほぼ確実に取り出させるようにして返却することができる。
【０３９６】
また制御部１０は、例えば、異物排出処理の実行中に異物受取繰出部２５から硬貨ＣＩのような異物が繰り出されたことを検出すると（すなわち、異物受取繰出部２５から最初に異物が繰り出されたとき）、タッチスクリーン４に「紙幣以外のものが投入されたため、排出するように処理しています」というような、異物排出処理が実行中であることを通知するためのメッセージを有する操作画面を表示する。
【０３９７】
これにより制御部１０は、顧客に対しその操作画面を介して、紙幣投入取出部６に誤って硬貨ＣＩのような異物が投入されたことで異物排出処理を実行しているために入金処理が一時的に停止していることを確認させることができる。
【０３９８】
さらに制御部１０は、異物受取繰出部２５から硬貨ＣＩのような異物が繰り出されたことを検出すると、入金処理が終了した際、タッチスクリーン４に入金処理の終了を通知するためのメッセージと共に、「誤って投入された紙幣以外のものは返却口から返却いたします」というような、異物の返却を通知するためのメッセージを有する操作画面を表示する。
【０３９９】
これにより制御部１０は、顧客に対しその操作画面を介して、返却口９から硬貨ＣＩのような異物を取り出すように促し、その異物を返却口９を介して、より確実に返却することができる。
【０４００】
（１−５）実施の形態の動作及び効果
以上の構成において、現金自動預払機１の制御部１０は、紙幣の入金時、異物排出部１１の紙幣投入取出部６においてシャッタ２３を開くことで紙幣収容部２２の上側開口部２２Ａを開放する。
【０４０１】
この状態で現金自動預払機１の異物排出部１１は、紙幣収容部２２に誤って硬貨ＣＩのような異物が投入されると、その異物を紙幣収容部２２の収容部下端に形成された異物落下用穴２２Ｄ乃至２２Ｆに通して落下させて、搬送ベルト２８の上側平坦部２８Ａに載せるようにして受け取る。
【０４０２】
この際、現金自動預払機１の制御部１０は、異物受取繰出部２５においてベルト駆動部２９を制御して左側プーリ２６及び右側プーリ２７と共に搬送ベルト２８を一回転方向へ回転させて、当該搬送ベルト２８の上側平坦部２８Ａを異物の繰出側へ異物繰出変位量だけ変位させる。
【０４０３】
次いで現金自動預払機１の制御部１０は、ベルト駆動部２９を制御して左側プーリ２６及び右側プーリ２７と共に搬送ベルト２８を他回転方向へ回転させて、当該搬送ベルト２８の上側平坦部２８Ａを異物の戻し側へ異物戻し変位量だけ変位させる。
【０４０４】
続いて現金自動預払機１の制御部１０は、ベルト駆動部２９を制御して左側プーリ２６及び右側プーリ２７と共に搬送ベルト２８を一回転方向及び他回転方向へ順次交互に回転させて当該搬送ベルト２８の上側平坦部２８Ａを繰出側及び戻し側へ振動変位量ずつ順次交互変位させて左右に小刻みに振動させる。
【０４０５】
そして現金自動預払機１の制御部１０は、このような搬送ベルト２８の上側平坦部２８Ａに対する一連の変位を、異物受取繰出部２５からの硬貨ＣＩのような異物の繰出状況を監視しながら適宜繰り返す。
【０４０６】
従って現金自動預払機１の制御部１０は、例えば、搬送ベルト２８の上側平坦部２８Ａに異物としての複数の硬貨ＣＩが幾つもの積層状の重なりとして載り、また右向きの楔状の重なりとしても載っており、搬送ベルト２８の上側平坦部２８Ａを硬貨ＣＩの繰出用及び戻し用に変位させただけでは、繰出量制限部３２や圧縮コイルばね３１により、その複数の硬貨ＣＩの楔状の重なりを崩せない場合であっても、その後の上側平坦部２８Ａの振動を、右向きで楔状に重なっている複数の硬貨ＣＩに加えて、その重なりを崩すことができる。
【０４０７】
すなわち、現金自動預払機１では、搬送ベルト２８の上側平坦部２８Ａにおいて圧縮コイルばね３１の左側全体に亘り、複数の硬貨ＣＩが幾つもの積層状の重なりとして順に並ぶように載ると共に、当該圧縮コイルばね３１の右側に複数の硬貨ＣＩが右向きで楔状に重なって載ることがある。
【０４０８】
現金自動預払機１では、この際、搬送ベルト２８の上側平坦部２８Ａにより複数の硬貨ＣＩを繰出側へ搬送するものの、圧縮コイルばね３１の右側に載っている複数の硬貨ＣＩが繰出量制限部３２（すなわち、異物繰出通路の入口）によっては繰出量を制限し得ないような高さで楔状に重なっていると、その重なりを崩せないまま戻し側へ搬送することになる。
【０４０９】
そして現金自動預払機１では、複数の硬貨ＣＩを戻し側へ搬送しても、圧縮コイルばね３１の左側に載っている複数の硬貨ＣＩがほとんど動かないために、右向きで楔状に重なっている複数の硬貨ＣＩを、当該左側の複数の硬貨ＣＩで移動を遮るようにして圧縮コイルばね３１の下側を通すことができず、その結果、複数の硬貨ＣＩの右向きの楔状の重なりを崩せない場合がある。
【０４１０】
しかしながら、現金自動預払機１では、このような場合でも、搬送ベルト２８の上側平坦部２８Ａを戻し側へ異物戻し変位量だけ変位させた後、当該上側平坦部２８Ａを繰出側及び戻し側へ振動変位量ずつ順次交互に変位させて左右に小刻みに振動させることで、その振動を、右向きで楔状に重なっている複数の硬貨ＣＩに加えて、これら複数の硬貨ＣＩの楔状の重なりを崩すことができる。
【０４１１】
よって現金自動預払機１の制御部１０は、引き続き搬送ベルト２８の上側平坦部２８Ａを繰出側へ異物繰出変位量だけ変位させることで、異物受取繰出部２５から当該上側平坦部２８Ａに載っていた複数の硬貨ＣＩを排出用に繰り出すことができる。
【０４１２】
以上の構成によれば、現金自動預払機１では、紙幣の入金時、紙幣投入取出部６の紙幣収容部２２に誤って硬貨ＣＩのような異物が投入されると、その異物を紙幣収容部２２の収容部下端から落下させて異物受取繰出部２５において搬送ベルト２８の上側平坦部２８Ａで受け取ると共に、制御部１０がベルト駆動部２９を制御して左側プーリ２６及び右側プーリ２７と共に搬送ベルト２８を一回転方向へ回転させて上側平坦部２８Ａを繰出側へ異物繰出変位量だけ変位させた後、左側プーリ２６及び右側プーリ２７と共に搬送ベルト２８を他回転方向へ回転させて上側平坦部２８Ａを戻し側へ異物戻し変位量だけ変位させ、引き続き左側プーリ２６及び右側プーリ２７と共に搬送ベルト２８を一回転方向及び他回転方向へ順次交互に回転させて上側平坦部２８Ａを繰出側及び戻し側へ振動変位量ずつ順次交互変位させて左右に小刻みに振動させるようにして、このような搬送ベルト２８の上側平坦部２８Ａに対する一連の変位を、異物受取繰出部２５からの硬貨ＣＩのような異物の繰出状況を監視しながら適宜繰り返すようにした。
【０４１３】
これにより現金自動預払機１は、搬送ベルト２８の上側平坦部２８Ａに異物としての複数の硬貨ＣＩが幾つもの積層状の重なりとして載り、また右向きの楔状の重なりとしても載っており、搬送ベルト２８の上側平坦部２８Ａを硬貨ＣＩの繰出用及び戻し用に変位させただけでは、繰出量制限部３２（すなわち、異物繰出通路の入口）や圧縮コイルばね３１によっては、その複数の硬貨ＣＩの楔状の重なりを崩せない場合であっても、その後の上側平坦部２８Ａの振動により、複数の硬貨ＣＩの右向きの楔状の重なりを崩すことができる。よって現金自動預払機１は、紙幣投入取出部６の紙幣収容部２２に誤って投入された硬貨ＣＩのような異物を確実に排出することができる。
【０４１４】
また現金自動預払機１の制御部１０は、異物受取繰出部２５において搬送ベルト２８の上側平坦部２８Ａを繰出側へ異物繰出変位量だけ変位させた後、戻し側へ異物戻し変位量だけ変位させ、引き続き繰出側及び戻し側へ振動変位量ずつ順次交互に変位させて小刻みに振動させるようにした。
【０４１５】
従って現金自動預払機１の制御部１０は、搬送ベルト２８の上側平坦部２８Ａに載っている異物としての複数の硬貨ＣＩのうち右側に載っている１又は複数の硬貨ＣＩを異物受取繰出部２５から極力繰り出した上で、当該上側平坦部２８Ａを戻し側へ異物戻し変位量だけ変位させて、搬送ベルト２８の上側平坦部２８Ａに載っている硬貨ＣＩを、異物繰出通路の入口から極力離して当該入口付近に異物の無い空スペースを確保することができる。
【０４１６】
そのうえで、現金自動預払機１の制御部１０は、搬送ベルト２８の上側平坦部２８Ａを左右に振動させることで、異物繰出通路の入口付近の空スペースを利用して複数の異物の重なりを崩し易くすることができる。
【０４１７】
さらに現金自動預払機１の制御部１０は、ベルト駆動部２９を制御して搬送ベルト２８の上側平坦部２８Ａを振動させるようにした。
【０４１８】
従って現金自動預払機１は、搬送ベルト２８の上側平坦部２８Ａを振動させるための特別な機構を何ら設けることなく、当該搬送ベルト２８を異物の搬送用に駆動するためのベルト駆動部２９を振動用の駆動に兼用し、かくして簡易な構成で搬送ベルト２８の上側平坦部２８Ａを容易に振動させることができる。
【０４１９】
さらに現金自動預払機１の制御部１０は、紙幣の入金時、紙幣投入取出部６においてシャッタ２３を開くと、誤って硬貨ＣＩのような異物が投入されていないかを確認する間や、誤って投入された硬貨ＣＩのような異物を排出するまでの間、シャッタ２３を開いたままにして入金処理を一時的に停止するようにした。
【０４２０】
これにより現金自動預払機１の制御部１０は、そのシャッタ２３を開いたまました状態により、顧客に対し入金処理を一時的に停止していることを直感的に認識させて、シャッタ２３が閉じて入金処理が再開されることを何ら違和感なく待たせることができる。
【０４２１】
そして現金自動預払機１の制御部１０は、シャッタ２３を開いたままの時間が比較的長いときには、顧客に対し紙幣投入取出部６に誤って硬貨ＣＩのような異物が投入されたことで入金処理が一時的に停止していることを直感的に認識させることができる。
【０４２２】
よって現金自動預払機１の制御部１０は、顧客により紙幣投入取出部６に誤って硬貨ＣＩのような異物が投入された場合、当該顧客に、その異物を返却口９からほぼ確実に取り出させるようにして返却することができる。
【０４２３】
従って現金自動預払機１の制御部１０は、紙幣投入取出部６に誤って硬貨ＣＩのような異物が投入されている場合、また投入された異物が多い程、シャッタ２３を開いたままにする時間を長くして、顧客に対し紙幣投入取出部６に硬貨ＣＩのような異物を誤って投入していることを分からせて、その異物を返却口９からほぼ確実に取り出させるようにして返却することができる。
【０４２４】
（２）他の実施の形態
（２−１）他の実施の形態１
なお上述した実施の形態においては、異物排出部１１において搬送ベルト２８を一回転方向及び他回転方向へ順次交互に回転させるようにして上側平坦部２８Ａを左右に小刻みに振動させるようにした場合について述べた。
【０４２５】
しかしながら本発明は、これに限らず、回転可能な偏芯カムと、当該偏芯カムを回転させるように駆動する駆動部とを有する振動部を用いて搬送ベルト２８の上側平坦部２８Ａを振動させるようにしても良い。
【０４２６】
すなわち、本発明は、例えば、図１８（Ａ）及び（Ｂ）に示すように、異物排出部において搬送ベルト２８の上側平坦部２８Ａ及び下側平坦部２８Ｂの間隙の中間位置に回転軸４０を、当該搬送ベルト２８の幅方向と平行にして一回転方向に回転可能に支持する。
【０４２７】
また本発明は、その回転軸４０を偏芯カム４１の中心からずれた位置に穿設された孔部に通すようにして、当該回転軸４０に偏芯カム４１を固定する。
【０４２８】
さらに本発明は、その回転軸４０に図示しない駆動部においてモータの出力軸を複数のギヤを介して連結することで、当該モータを動作させて偏芯カム４１を、回転軸４０を中心にして一回転方向に回転可能にする。
【０４２９】
そして本発明は、偏芯カム４１の一周に亘る周側面の中で回転軸４０から最も離れた部分（以下、これを周側面軸離隔部分とも呼ぶ）４１Ａまでの距離を、当該回転軸４０から搬送ベルト２８の上側平坦部２８Ａ（及び下側平坦部２８Ｂ）の内面までの距離よりも長く選定する。
【０４３０】
また本発明は、偏芯カム４１の一周に亘る周側面の中で回転軸４０に最も近い部分（以下、これを周側面軸近接部分とも呼ぶ）４１Ｂまでの距離を、当該回転軸４０から搬送ベルト２８の上側平坦部２８Ａ（及び下側平坦部２８Ｂ）の内面までの距離よりも短く選定する。
【０４３１】
これにより本発明は、モータ及び複数のギヤを介して偏芯カム４１を、回転軸４０を中心にして一回転方向に回転させることで、当該偏芯カム４１の周側面軸離隔部分４１Ａにより搬送ベルト２８において上側平坦部２８Ａの中央部を上下に変位させるようにして振動させることができる。
【０４３２】
また本発明は、例えば、振動板と当該振動板を振動させる駆動部とを有する振動部を用い、搬送ベルト２８の上側平坦部２８Ａの内面に、その振動板を適宜押し当てて振動させることで、当該上側平坦部２８Ａを振動させるようにしても良い。
【０４３３】
本発明は、このように偏芯カム４１を有する振動部や振動板を有する振動部を用いる構成によっても、搬送ベルト２８の上側平坦部２８Ａを振動させて、当該上側平坦部２８Ａに載っている複数の硬貨の重なりを崩すことができ、上述した実施の形態と同様の効果を得ることができる。
【０４３４】
さらに本発明は、上述した実施の形態のように、搬送ベルト２８の上側平坦部２８Ａを繰出側及び戻し側へ順次交互に変位させるようにして小刻みに振動させる場合、当該搬送ベルト２８の上側平坦部２８Ａに対する繰出側の振動変位量と戻し側の振動変位量とを異なる（繰出側の振動変位量を戻し側の振動変位量よりも長くする、又はこの逆の）ようにしても良い。
【０４３５】
本発明は、このように搬送ベルト２８の上側平坦部２８Ａを、繰出側及び戻し側へ順次交互に異なる振動変位量ずつ変位させるようにして小刻みに振動させても、当該搬送ベルト２８の上側平坦部２８Ａに載っている複数の硬貨の重なりを崩すことができ、上述した実施の形態と同様の効果を得ることができる。
【０４３６】
（２−２）他の実施の形態２
また上述した実施の形態においては、異物排出部１１に、平ベルトでなる（すなわち、外面に凹凸や突起の無い）搬送ベルト２８を用いるようにした場合について述べた。
【０４３７】
しかしながら本発明は、これに限らず、例えば、図１９に示すように、異物排出部４５に、外面に一周に亘り所定の間隔で複数の突起部４６Ａが突設された搬送ベルト４６を用いるようにして良い。
【０４３８】
因みに、本発明は、係る搬送ベルト４６として、外面に当該搬送ベルト４６の幅方向の一方の縁から他方の縁に亘るリブ状の複数の突起部４６Ａが一周に亘り所定間隔で突設されたものを用いるようにしても良い。
【０４３９】
また本発明は、係る搬送ベルト４６として、外面に当該搬送ベルト４６の幅よりも短い突起部４６Ａが一周に亘りジクザグのような所定のパターンで突設されたものを用いるようにしても良い。
【０４４０】
そして本発明は、係る搬送ベルト４６を一回転方向に回転させて上側平坦部４６Ｂを繰出側へ異物繰出変位量だけ変位させた際に、左側プーリ２６から右側プーリ２７までの間を少なくとも１個の突起部４６Ａが通過するように、当該搬送ベルト４６の外面に突起部４６Ａを一周に亘り所定間隔で突設するようにしても良い。
【０４４１】
本発明は、このような搬送ベルト４６を用いると、突起部４６Ａに硬貨のような異物を引っ掛けるようにして、より確実に搬送することができる。
【０４４２】
（２−３）他の実施の形態３
さらに上述した実施の形態においては、異物排出部１１に、搬送路一端が収納部２０の右側壁２０Ｂ付近で受取繰出ガイド３０のガイド他端に接続されると共に、搬送路他端に返却口９が形成された異物搬送路２１を設けるようにした場合について述べた。
【０４４３】
しかしながら本発明は、これに限らず、例えば、図３及び図４との対応部分に同一符号を付した図２０及び図２１に示すように、異物排出部４８に、一端が収納部２０の右側壁２０Ｂ付近で受取繰出ガイド３０のガイド他端に接続されると共に、他端側に略箱型の異物収納庫４９Ａを有する異物搬送収納部４９を設けるようにしても良い。
【０４４４】
この場合、異物搬送収納部４９は、一端部が収納部２０の外側で受取繰出ガイド３０のガイド他端部を右斜め下方向に延長させるように形成されていると共に、当該一端部に対し中央部が収納部２０の外側で下方向に伸ばしたように屈曲されている。
【０４４５】
また異物搬送収納部４９は、その中央部に異物収納庫４９Ａが接続されており、当該異物収納庫４９Ａが預払機筐体２の内部で収納部２０の例えば、右斜め下に配置されている。
【０４４６】
これにより異物搬送収納部４９は、受取繰出ガイド３０の異物繰出口３０Ｚから繰り出された異物を一端の開口部を介して一端部内に取り込んで右斜め下方向に滑らせ後、中央部内を真下に落下させるようにして、その先の異物収納庫４９Ａに収納する。
【０４４７】
そして本発明は、係る異物搬送収納部４９において異物収納庫４９Ａを預払機筐体２の内部に固設するようにしても良いし、当該異物搬送収納部４９の中央部に対し着脱可能に装着して預払機筐体２の内部から外部へ引き出せるようにしても良い。
【０４４８】
本発明は、係る構成によれば、紙幣の入金時に紙幣投入取出部６に誤って硬貨のような異物が投入された場合、その異物を返却口９から顧客に取り出させるのではなく、例えば、行員により異物収納庫４９Ａから取り出させて顧客に返却することができる。
【０４４９】
（２−４）他の実施の形態４
さらに上述した実施の形態においては、受取繰出ガイド３０のガイド他端部にセンサ３７及びプリズム３８を配置して、当該センサ３７の受光素子３６による反射光の受光結果に基づいて、異物受取繰出部２５からの硬貨ＣＩのような異物の繰り出しの有無を検出するようにした場合について述べた。
【０４５０】
しかしながら本発明は、これに限らず、図４との対応部分に同一符号を付した図２２（Ａ）及び（Ｂ）に示すように、上述の受取繰出ガイド３０とほぼ同様構成の受取繰出ガイド５０のガイド他端部にアクチュエータ型センサ５１を配置して、当該アクチュエータ型センサ５１の出力に基づいて、異物受取繰出部からの硬貨ＣＩのような異物の繰り出しの有無を検出するようにしても良い。
【０４５１】
この場合、アクチュエータ型センサ５１は、本体部５１Ａが受取繰出ガイド５０の下壁部５０Ａの外面に配置され、例えば圧電素子のようなアーム５１Ｂの先端部が当該受取繰出ガイド５０の下壁部５０Ａに穿設された孔部に通されてガイド他端部内（すなわち、異物繰出通路内）に突出している。
【０４５２】
そしてアクチュエータ型センサ５１は、異物繰出通路を硬貨ＣＩのような異物が通過していないときには、アーム５１Ｂが何ら変形しないことで、異物繰出通路を異物が通過していないことを示すように例えば、信号レベルを論理「Ｌ」レベルに立ち下げ、アーム５１Ｂの上を異物が通過したときには当該アーム５１Ｂが変形することで、異物繰出通路を異物が通過したことを示すように例えば、信号レベルを論理「Ｈ」レベルに立ち上げる異物通過有無信号を制御部１０に送出する。
【０４５３】
よって本発明は、係る構成でも、制御部１０がアクチュエータ型センサ５１から与えられる異物通過有無信号の信号レベルに基づき、異物繰出通路における異物の通過の有無、すなわち、異物受取繰出部からの異物の繰り出しの有無を検出することができる。
【０４５４】
（２−５）他の実施の形態５
さらに上述した実施の形態においては、紙幣収容部２２の下側開口部内に角柱状の２本の紙幣支持部２２Ｂ、２２Ｃを、その長手方向を開口短手方向と平行にし、かつ開口長手方向に添って等間隔で配置するようにした場合について述べた。
【０４５５】
しかしながら本発明は、これに限らず、例えば、上述の（１）式及び（２）式で表される紙幣支持部の配置位置の選定条件を満たしたうえで、紙幣収容部の下側開口部内に、断面が三角形や楕円形、半円形等のような種々の断面形状の３本以上の紙幣支持部を、その長手方向を開口短手方向と平行にし、かつ開口長手方向に添って等間隔で配置するようにしても良い。
【０４５６】
また本発明は、これに限らず、紙幣収容部の下側開口部内に、それぞれ大きさが適宜選定された複数の異物落下用穴が所定パターンで形成された格子状や同心円状等のような紙幣支持部を配置するようにしても良い。
【０４５７】
本発明は、これら係る構成によっても、紙幣収容部に紙幣を留めつつ、硬貨のような異物を収容部下端から落下させることができる。
【０４５８】
（２−６）他の実施の形態６
さらに上述した実施の形態においては、受取繰出ガイド３０の後壁部３０Ｂの内面において異物取込口３０Ｘの後縁の中央と搬送ベルト２８の上側平坦部２８Ａの表面との間の所定位置に圧縮コイルばね３１の一端を取り付けるようにした場合について述べた。
【０４５９】
しかしながら本発明は、これに限らず、受取繰出ガイド３０の後壁部３０Ｂの内面において異物取込口３０Ｘの後縁の中央と搬送ベルト２８の上側平坦部２８Ａの表面との間よりも左寄りや右寄りの所定位置に圧縮コイルばね３１の一端を取り付けるようにしても良い。
【０４６０】
また本発明は、受取繰出ガイド３０の後壁部３０Ｂの内面の種々の位置に、圧縮コイルばね３１に換えて板ばねや、弾性を有するワイヤ等の一端を取り付けるようにしても良い。
【０４６１】
本発明は、係る構成によっても、搬送ベルト２８の上側平坦部２８Ａを変位させた際、その上側平坦部２８Ａに載っている硬貨のような異物の重なりを崩すことができる。
【０４６２】
（２−７）他の実施の形態７
さらに上述した実施の形態においては、制御部１０がベルト駆動部２９を制御して搬送ベルト２８の上側平坦部２８Ａを、硬貨ＣＩの繰出用、戻し用及び振動用の順番で変位させるようにした場合について述べた。
【０４６３】
しかしながら本発明は、これに限らず、制御部１０がベルト駆動部２９を制御して搬送ベルト２８の上側平坦部２８Ａを、硬貨ＣＩの戻し用、振動用及び繰出用の順番で変位させるようにしても良い。
【０４６４】
本発明は、係る構成によれば、搬送ベルト２８の上側平坦部２８Ａを、まず戻し側へ異物戻し変位量だけ変位させて硬貨のような異物を、異物繰出通路の入口から極力離して当該入口付近に異物の無い空スペースを確保することができる。
【０４６５】
そのうえで、本発明は、搬送ベルト２８の上側平坦部２８Ａを左右に振動させることで、複数の異物の重なりを崩して、これら複数の異物を異物繰出通路の入口に詰まりづらいように空スペースに散在させて、その後の上側平坦部２８Ａに対する繰出側への異物繰出変位量の変位により異物繰出通路へ送り出し易くすることができる。
【０４６６】
また本発明は、制御部１０がベルト駆動部２９を制御して搬送ベルト２８の上側平坦部２８Ａを、硬貨ＣＩの振動用、繰出用及び戻し用の順番で変位させるようにしても良い。
【０４６７】
本発明は、係る構成によれば、搬送ベルト２８の上側平坦部２８Ａを、まず左右に振動させることで、紙幣収容部２２の収容部下端から落下した硬貨のような異物を、上側平坦部２８Ａにより極力重ならせないように散在させて受け取ることができ、その後の上側平坦部２８Ａに対する繰出側への異物繰出変位量の変位により異物繰出通路へ送り出し易くすることができる。
【０４６８】
そして本発明は、これら係る構成を、他の実施の形態１で上述した構成と組み合わせることもできる。すなわち、本発明は、搬送ベルト２８の上側平坦部２８Ａに対する１連の変位において当該上側平坦部２８Ａの振動用の変位を、他の実施の形態１で上述した偏芯カム４１や振動板を用いる上側平坦部２８Ａの直接的な振動に置き換えることもできる。
【０４６９】
（２−８）他の実施の形態８
さらに上述した実施の形態においては、紙幣の入金時に異物排出部１１により、紙幣投入取出部６に誤って投入された硬貨のような異物を排出するようにした場合について述べた。
【０４７０】
しかしながら本発明は、これに限らず、紙幣の入金時にリジェクト紙幣を返金する際や、紙幣の出金時のようにシャッタ２３を開ける場合には、紙幣投入取出部６に誤って硬貨のような異物が投入される可能性があるため、その紙幣の入金時にリジェクト紙幣を返金する際や紙幣の出金時にも異物排出部１１により、紙幣投入取出部６に誤って投入された硬貨のような異物を排出する（すなわち、制御部１０により異物排出処理を実行する）ようにしても良い。
【０４７１】
また本発明は、紙幣の入金時に異物排出部１１により、紙幣の投入専用の紙幣投入部に誤って投入された硬貨のような異物を排出するようにしても良い。
【０４７２】
さらに本発明は、紙幣の出金時やリジェクト紙幣の返金の際に、紙幣の取出専用の紙幣取出部に誤って投入された硬貨のような異物を排出するようにしても良い。
【０４７３】
（２−９）他の実施の形態９
さらに上述した実施の形態においては、本発明による異物排出装置を、図１乃至図２２について上述した現金自動預払機１に設けられた異物排出部１１、４５、４８に適用するようにした場合について述べた。
【０４７４】
しかしながら本発明は、これに限らず、現金自動支払機（CD：Cash  Dispenser）や両替機、電車の切符や観劇のチケット等を販売する券売機、精算機、自動販売機、パチンコ台やスロット台のような遊戯機等のような紙幣を取り扱う装置に設けられる異物排出部、またコピー機や複写機等のようなコピー用紙を取り扱う装置に設けられる異物排出部等のように、この他種々の異物排出装置に広く適用することができる。
【０４７５】
（２−１０）他の実施の形態１０
さらに上述した実施の形態においては、本発明による紙葉類取扱装置を、図１乃至図２２について上述した現金自動預払機１に適用するようにした場合について述べた。
【０４７６】
しかしながら本発明は、これに限らず、現金自動支払機や両替機、券売機、精算機、自動販売機、遊戯機等のような紙幣を取り扱う装置、またコピー機や複写機等のような用紙を取り扱う装置等のように、この他種々の紙葉類取扱装置に広く適用することができる。
【０４７７】
（２−１１）他の実施の形態１１
さらに上述した実施の形態においては、収容部に収容される収納対象の紙葉類として、図１乃至図２２について上述した紙幣を適用するようにした場合について述べた。
【０４７８】
しかしながら本発明は、これに限らず、コピー用紙や、チケット、葉書等のように、この他種々の紙葉類を広く適用することができる。
【０４７９】
（２−１２）他の実施の形態１２
さらに上述した実施の形態においては、下端に、収納対象の紙葉類は通さずに、誤って投入された異物は通して落下させるための穴が形成された収容部として、図１乃至図２２について上述した紙幣の入金及び出金に用いる紙幣収容部２２を適用するようにした場合について述べた。
【０４８０】
しかしながら本発明は、これに限らず、入金用の紙幣の投入専用の紙幣投入部（すなわち、入金用の紙幣専用の収容部）や、出金用の紙幣の取出専用の紙幣取出部（すなわち、出金用の紙幣専用の収容部）、コピー用紙のトレイ等のように、この他種々の収容部を広く適用することができる。
【０４８１】
（２−１３）他の実施の形態１３
さらに上述した実施の形態においては、収容部の下端の下側で、互いの回動軸を所定の間隔を介して平行にし、回動軸を中心にして一回転方向及び他回転方向に回動可能に支持された複数のプーリとして、図１乃至図２２について上述した左側プーリ２６及び右側プーリ２７を適用するようにした場合について述べた。
【０４８２】
しかしながら本発明は、これに限らず、搬送ベルトを、収容部の下端から落下する異物を載せるようにして受け取って、当該異物を繰出側、及び当該繰出側とは逆の戻し側へ搬送するための平坦部を形成するように架けさせることができれば、所定のパターンで配置された３個以上のプーリ等のように、この他種々の構成のプーリを広く適用することができる。
【０４８３】
（２−１４）他の実施の形態１４
さらに上述した実施の形態においては、収容部の下端から落下する異物を載せるようにして受け取って、当該異物を繰出側、及び当該繰出側とは逆の戻し側へ搬送するための平坦部を形成するように複数のプーリに架けられた搬送ベルトとして、図１乃至図２２について上述した平ベルトでなる搬送ベルト２８を適用するようにした場合について述べた。
【０４８４】
しかしながら本発明は、これに限らず、少なくとも外面が紙幣収容部２２の収容部下端の開口短手方向の長さとほぼ等しい幅を有するＶベルトや、紙幣収容部２２の収容部下端の開口短手方向の長さよりも長い幅を有する平ベルト又はＶベルト等のように、この他種々の搬送ベルトを広く適用することができる。
【０４８５】
（２−１５）他の実施の形態１５
さらに上述した実施の形態においては、複数のプーリと共に搬送ベルトを一回転方向及び他回転方向へ回転させるように駆動するベルト駆動部として、図１乃至図２２について上述したベルト駆動部２９を適用するようにした場合について述べた。
【０４８６】
しかしながら本発明は、これに限らず、複数のプーリをそれぞれ駆動するための複数のモータを有するベルト駆動部や、一回転方向及び他回転方向へ回動可能な駆動ベルトの外面の一部を搬送ベルト２８の外面の一部に押し付けるようにして、当該駆動ベルトを一回転方向及び他回転方向へ回転させることで、これに連動させて搬送ベルト２８を他回転方向及び一回転方向へ回転させるベルト駆動部等のように、この他種々の構成のベルト駆動部を広く適用することができる。
【０４８７】
（２−１６）他の実施の形態１６
さらに上述した実施の形態においては、搬送ベルトの平坦部を振動させる振動部として、図１乃至図２２について上述したベルト駆動部２９を適用するようにした場合について述べた。
【０４８８】
しかしながら本発明は、これに限らず、他の実施の形態１で上述した偏芯カム４１を有する振動部や振動板を有する振動部等のように、この他種々の構成の振動部を広く適用することができる。
【０４８９】
（２−１７）他の実施の形態１７
さらに上述した実施の形態においては、異物の繰出側への搬送用に複数のプーリと共に搬送ベルトを一回転方向へ回転させるようにベルト駆動部を制御し、また異物の戻し側への搬送用に複数のプーリと共に搬送ベルトを他回転方向へ回転させるようにベルト駆動部を制御し、さらに搬送ベルトの平坦部を振動させるように振動部を制御する制御部として、図１乃至図２２について上述したマイクロコンピュータ構成の制御部１０を適用するようにした場合について述べた。
【０４９０】
しかしながら本発明は、これに限らず、マイクロプロセッサやシーケンサ等のように、この他種々の構成の制御部を広く適用することができる。
【０４９１】
（２−１８）他の実施の形態１８
さらに上述した実施の形態においては、搬送ベルトの平坦部の繰出側と対向して配置され、搬送ベルトの平坦部により繰出側に搬送される異物の当該平坦部からの繰出量を制限する繰出量制限部として、図１乃至図２２について上述した繰出量制限部３２を適用するようにした場合について述べた。
【０４９２】
しかしながら本発明は、これに限らず、受取繰出ガイド３０における異物繰出通路の入口の上側の縁のように、この他種々の構成の繰出量制限部を広く適用することができる。
【０４９３】
（２−１９）他の実施の形態１９
さらに上述した実施の形態においては、搬送ベルトの平坦部の所定部分と所定の間隙を空けて対向して配置され、搬送ベルトの平坦部によって搬送される異物の重なりを崩すための崩部として、図１乃至図２２について上述した圧縮コイルばね３１を適用するようにした場合について述べた。
【０４９４】
しかしながら本発明は、これに限らず、他の実施の形態６で上述した板ばねやワイヤ等のように、この他種々の構成の崩部を広く適用することができる。
【０４９５】
（２−２０）他の実施の形態２０
さらに上述した実施の形態においては、搬送ベルトの平坦部から異物が排出用に繰り出されたか否かを検出するための検出部として、図１乃至図２２について上述したセンサ３７及びプリズム３８を適用するようにした場合について述べた。
【０４９６】
しかしながら本発明は、これに限らず、リミットスイッチや、他の実施の形態４で上述したアクチュエータ型センサ５１等のように、この他種々の構成の検出部を広く適用することができる。
【０４９７】
（２−２１）他の実施の形態２１
さらに上述した実施の形態においては、収容部の上端の開口部を開放し、また閉塞するためのシャッタとして、図１乃至図２２について上述したスライドするようにして開閉するシャッタ２３を適用するようにした場合について述べた。
【０４９８】
しかしながら本発明は、これに限らず、回動するようにして開閉するシャッタのように、この他種々の構成のシャッタを広く適用することができる。
【０４９９】
（２−２２）他の実施の形態２２
さらに上述した実施の形態においては、シャッタを駆動するシャッタ駆動部として、図１乃至図２２について上述したシャッタ駆動部２４を適用するようにした場合について述べた。
【０５００】
しかしながら本発明は、これに限らず、シャッタを回動させるシャッタ駆動部のように、この他種々の構成のシャッタ駆動部を広く適用することができる。
【０５０１】
（２−２３）他の実施の形態２３
さらに上述した実施の形態においては、制御部が、異物の繰出側への搬送用にベルト駆動部を制御し、また異物の戻し側への搬送用にベルト駆動部を制御し、さらに搬送ベルトの平坦部の振動用に振動部を制御する異物排出処理の実行中に、当該異物排出処理が実行中であることを通知するための通知部として、図１乃至図２２について上述した異物排出処理が実行中であることを通知するためのメッセージを有する操作画面を表示するタッチスクリーン４を適用するようにした場合について述べた。
【０５０２】
しかしながら本発明は、これに限らず、異物排出処理が実行中であることを通知することができれば、当該異物排出処理が実行中であることをガイド音声やビープ音等の音によって通知するスピーカや、異物排出処理が実行中であることを光の発光色や発光パターンのように所定の発光状態で通知する発光部等のように、この他種々の構成の通知部を広く適用することができる。
【産業上の利用可能性】
【０５０３】
本発明は、現金自動預払機や現金自動支払機等に設けられた異物排出部のような異物排出装置と、現金自動預払機や現金自動支払機等の紙葉類取扱装置とに利用することができる。
【符号の説明】
【０５０４】
１……現金自動預払機、４……タッチスクリーン、６……紙幣投入取出部、１１、４５、４８……異物排出部、２２……紙幣収容部、２２Ａ……上側開口部、２２Ｂ、２２Ｃ……紙幣支持部、２２Ｄ乃至２２Ｆ……異物落下用穴、２３……シャッタ、２４……シャッタ駆動部、２５……異物受取繰出部、２６……左側プーリ、２７……右側プーリ、２８、４６……搬送ベルト、２８Ａ……上側平坦部、２９……ベルト駆動部、３０、５０……受取繰出ガイド、３０Ｘ……異物取込口、３０Ｚ……異物繰出口、３１……圧縮コイルばね、３２……繰出量制限部、３５……発光素子、３６……受光素子、３７……センサ、３８……プリズム、４１……偏芯カム、５１……アクチュエータ形センサ、ＢＬ２……紙幣、ＣＩ……硬貨。
【図１】
0005821599.tif 000002
【図２】
0005821599.tif 000003
【図３】
0005821599.tif 000004
【図４】
0005821599.tif 000005
【図５】
0005821599.tif 000006
【図６】
0005821599.tif 000007
【図７】
0005821599.tif 000008
【図８】
0005821599.tif 000009
【図９】
0005821599.tif 000010
【図１０】
0005821599.tif 000011
【図１１】
0005821599.tif 000012
【図１２】
0005821599.tif 000013
【図１３】
0005821599.tif 000014
【図１４】
0005821599.tif 000015
【図１５】
0005821599.tif 000016
【図１６】
0005821599.tif 000017
【図１７】
0005821599.tif 000018
【図１８】
0005821599.tif 000019
【図１９】
0005821599.tif 000020
【図２０】
0005821599.tif 000021
【図２１】
0005821599.tif 000022
【図２２】
0005821599.tif 000023
【図２３】
0005821599.tif 000024
【図２４】
0005821599.tif 000025